(57)【特許請求の範囲】
【請求項１】
チャネル状態情報参照信号を測定するための方法であって、
ネットワークデバイスから、１つ又は複数のチャネル測定リソースセットと、１つ又は複数の干渉測定リソースセットとを受信するステップであって、前記チャネル測定リソースセットは、チャネル測定のために複数のチャネル状態情報参照信号リソースセットの中から選択されたリソースセットであり、前記干渉測定リソースセットは、干渉測定のために複数の前記チャネル状態情報参照信号リソースセットの中から選択されたリソースセットであり、前記チャネル測定リソースセットと前記干渉測定リソースセットとが固定された一対一のコロケーション関係にない、ステップと、
前記ネットワークデバイスから、端末によって前記チャネル測定に使用されるチャネル測定リソースセットと、前記端末によって前記干渉測定に使用される干渉測定リソースセットとを指示する指示情報を受信するステップと、
前記ネットワークデバイスから受信した１つ又は複数の前記チャネル測定リソースセットのうち前記指示情報によって指示される前記チャネル測定リソースセットを使用して前記チャネル測定を行うステップと、
前記ネットワークデバイスから受信した１つ又は複数の前記干渉測定リソースセットのうち前記指示情報によって指示される前記干渉測定リソースセットを使用して前記干渉測定を行うステップと、
を含む方法。
【請求項２】
前記指示情報に含まれる情報のうち前記チャネル測定に使用される前記チャネル測定リソースセットを指示する情報が
【数１】
0006938659.tif 000064
bitであり、前記
【数２】
0006938659.tif 000065
bitが、前記ネットワークデバイスから受信した
【数３】
0006938659.tif 000066
個の前記チャネル測定リソースセットのなかから前記チャネル測定に使用されるチャネル測定リソースセットを指示するために使用され、
【数４】
0006938659.tif 000067
が1以上の自然数である、請求項1に記載の方法。
【請求項３】
前記ネットワークデバイスから受信した１つ又は複数の前記チャネル測定リソースセットが1つまたは複数の非ゼロ電力チャネル状態情報参照信号リソースを含む、請求項１または２に記載の方法。
【請求項４】
ネットワークデバイスから、１つ又は複数のチャネル測定リソースセットと、１つ又は複数の干渉測定リソースセットとを受信するとともに、端末によってチャネル測定に使用されるチャネル測定リソースセットと、前記端末によって干渉測定に使用される干渉測定リソースセットとを指示する指示情報を受信するように構成された送受信機であって、前記ネットワークデバイスから受信した前記チャネル測定リソースセットは、チャネル測定のために複数のチャネル状態情報参照信号リソースセットの中から選択されたリソースセットであり、前記ネットワークデバイスから受信した前記干渉測定リソースセットは、干渉測定のために複数の前記チャネル状態情報参照信号リソースセットの中から選択されたリソースセットであり、前記チャネル測定リソースセットと前記干渉測定リソースセットとが固定された一対一のコロケーション関係にない、送受信機と、
前記ネットワークデバイスから受信した１つ又は複数の前記チャネル測定リソースセットのうち前記指示情報によって指示される前記干渉測定リソースセットを使用して前記チャネル測定を行うとともに、前記ネットワークデバイスから受信した１つ又は複数の前記干渉測定リソースセットのうち前記指示情報によって指示される前記干渉測定リソースセットを使用して前記干渉測定を行うように構成されたプロセッサと
を含む端末。
【請求項５】
前記指示情報に含まれる情報のうち前記チャネル測定に使用される前記チャネル測定リソースセットを指示する情報が
【数５】
0006938659.tif 000068
bitであり、前記
【数６】
0006938659.tif 000069
bitが、前記ネットワークデバイスから受信した
【数７】
0006938659.tif 000070
個の前記チャネル測定リソースセットのなかから前記チャネル測定に使用されるチャネル測定リソースセットを指示するために使用され、
【数８】
0006938659.tif 000071
が1以上の自然数である、請求項４に記載の端末。
【請求項６】
前記ネットワークデバイスから受信した１つ又は複数の前記チャネル測定リソースセットが1つまたは複数の非ゼロ電力チャネル状態情報参照信号リソースを含む、請求項４または５に記載の端末。
【請求項７】
チャネル状態情報参照信号リソースを指示するための方法であって、
ネットワークデバイスにより、端末に、１つ又は複数のチャネル測定リソースセットと、１つ又は複数の干渉測定リソースセットとを送信するステップであって、前記チャネル測定リソースセットは、チャネル測定のために複数のチャネル状態情報参照信号リソースセットの中から選択されたリソースセットであり、前記干渉測定リソースセットは、干渉測定のために複数の前記チャネル状態情報参照信号リソースセットの中から選択されたリソースセットであり、前記チャネル測定リソースセットと前記干渉測定リソースセットとが固定された一対一のコロケーション関係にない、ステップと、
前記ネットワークデバイスにより、前記端末によって前記チャネル測定に使用されるチャネル測定リソースセットと、前記端末によって前記干渉測定に使用される干渉測定リソースセットとを指示する指示情報を前記端末に送信するステップと
を含む方法。
【請求項８】
前記指示情報に含まれる情報のうち前記チャネル測定に使用される前記チャネル測定リソースセットを指示する情報が
【数９】
0006938659.tif 000072
bitであり、前記
【数１０】
0006938659.tif 000073
bitが、前記ネットワークデバイスによって送信された
【数１１】
0006938659.tif 000074
個の前記チャネル測定リソースセットのなかから前記チャネル測定に使用されるチャネル測定リソースセットを指示するために使用され、
【数１２】
0006938659.tif 000075
が1以上の自然数である、請求項７に記載の方法。
【請求項９】
前記ネットワークデバイスによって送信された１つ又は複数の前記チャネル測定リソースセットが1つまたは複数の非ゼロ電力チャネル状態情報参照信号リソースを含む、請求項７または８に記載の方法。
【請求項１０】
複数のチャネル状態情報参照信号リソースセットの中からチャネル測定のための１つ又は複数のチャネル測定リソースセットを選択するとともに、複数の前記チャネル状態情報参照信号リソースセットの中から干渉測定のための１つ又は複数の干渉測定リソースセットを選択するように構成されたプロセッサであって、前記チャネル測定リソースセットと前記干渉測定リソースセットとが固定された一対一のコロケーション関係にない、プロセッサと、
端末に、１つ又は複数の前記チャネル測定リソースセットと、１つ又は複数の前記干渉測定リソースセットとを送信するとともに、前記端末によって前記チャネル測定に使用されるチャネル測定リソースセットと、前記端末によって前記干渉測定に使用される干渉測定リソースセットとを指示する指示情報を送信するように構成された送受信機と
を含むネットワークデバイス。
【請求項１１】
前記指示情報に含まれる情報のうち前記チャネル測定に使用される前記チャネル測定リソースセットを指示する情報が
【数１３】
0006938659.tif 000076
bitであり、前記
【数１４】
0006938659.tif 000077
bitが、前記ネットワークデバイスによって送信された
【数１５】
0006938659.tif 000078
個の前記チャネル測定リソースセットのなかから前記チャネル測定に使用されるチャネル測定リソースセットを指示するために使用され、
【数１６】
0006938659.tif 000079
が1以上の自然数である、請求項１０に記載のネットワークデバイス。
【請求項１２】
前記ネットワークデバイスによって送信された１つ又は複数の前記チャネル測定リソースセットが1つまたは複数の非ゼロ電力チャネル状態情報参照信号リソースを含む、請求項１０または１１に記載のネットワークデバイス。
【請求項１３】
チップであって、少なくとも1つのプロセッサとインターフェースとを含み、
前記プロセッサは、前記チップがインストールされた通信システムが、チャネル状態情報参照信号を測定するための方法を行うように動作するように構成され、
前記方法は、
ネットワークデバイスから、１つ又は複数のチャネル測定リソースセットと、１つ又は複数の干渉測定リソースセットとを受信するステップであって、前記チャネル測定リソースセットは、チャネル測定のために複数のチャネル状態情報参照信号リソースセットの中から選択されたリソースセットであり、前記干渉測定リソースセットは、干渉測定のために複数の前記チャネル状態情報参照信号リソースセットの中から選択されたリソースセットであり、前記チャネル測定リソースセットと前記干渉測定リソースセットとが固定された一対一のコロケーション関係にない、ステップと、
前記ネットワークデバイスから、端末によって前記チャネル測定に使用されるチャネル測定リソースセットと、前記端末によって前記干渉測定に使用される干渉測定リソースセットとを指示する指示情報を受信するステップと、
前記ネットワークデバイスから受信した１つ又は複数の前記チャネル測定リソースセットのうち前記指示情報によって指示される前記干渉測定リソースセットを使用して前記チャネル測定を行うステップと、
前記ネットワークデバイスから受信した１つ又は複数の前記干渉測定リソースセットのうち前記指示情報によって指示される前記干渉測定リソースセットを使用して前記干渉測定を行うステップと、
を含む、チップ。
【請求項１４】
コンピュータ可読記憶媒体であって、前記コンピュータ可読記憶媒体がコンピュータプログラムを格納し、前記コンピュータプログラムがコンピュータによって実行されると、前記コンピュータが、チャネル状態情報参照信号を測定するための方法を実施することが可能になり、前記方法が、
ネットワークデバイスから、１つ又は複数のチャネル測定リソースセットと、１つ又は複数の干渉測定リソースセットとを受信するステップであって、前記チャネル測定リソースセットは、チャネル測定のために複数のチャネル状態情報参照信号リソースセットの中から選択されたリソースセットであり、前記干渉測定リソースセットは、干渉測定のために複数の前記チャネル状態情報参照信号リソースセットの中から選択されたリソースセットであり、前記チャネル測定リソースセットと前記干渉測定リソースセットとが固定された一対一のコロケーション関係にない、ステップと、
前記ネットワークデバイスから、端末によって前記チャネル測定に使用されるチャネル測定リソースセットと、前記端末によって前記干渉測定に使用される干渉測定リソースセットとを指示する指示情報を受信するステップと、
前記ネットワークデバイスから受信した１つ又は複数の前記チャネル測定リソースセットのうち前記指示情報によって指示される前記干渉測定リソースセットを使用して前記チャネル測定を行うステップと、
前記ネットワークデバイスから受信した１つ又は複数の前記干渉測定リソースセットのうち前記指示情報によって指示される前記干渉測定リソースセットを使用して前記干渉測定を行うステップと、
を含む、コンピュータ可読記憶媒体。
【発明の詳細な説明】
【技術分野】
【０００１】
本出願は、2017年11月17日付で中国特許庁に出願された、「CSI-RS MEASUREMENT METHOD AND INDICATION METHOD，NETWORK DEVICE，AND TERMINAL」という名称の中国特許出願第201711147992.0号の優先権を主張するものであり、参照によりその全体が本明細書に組み入れられる。
【０００２】
本出願は、通信分野に関し、特に、チャネル状態情報参照信号測定指示方法、チャネル状態情報参照信号測定方法、ネットワークデバイス、および端末に関する。
【背景技術】
【０００３】
複数の基地局の協調マルチポイント送信／受信シナリオでは、複数のチャネルおよび干渉測定リソースがネットワーク側で構成される必要がある。端末デバイス側は、ネットワーク側が、複数のCSIに基づいて、複数の基地局の協調マルチポイント送信／受信シナリオの伝送解決策、対応するリンク適応構成、およびスケジューリングポリシーを適切に決定するように、測定を行い、1つまたは複数の干渉の事例においてチャネル状態情報（Channel State Information、CSI）をフィードバックする必要がある。
【０００４】
ロングタームエボリューション（Long Term Evolution、LTE）では、1台のユーザ機器（user equipment、UE）に対して1つまたは複数のチャネル状態情報プロセス（Channel State Information process、CSI process）が構成され得る。各CSIプロセスは、CSI報告（report）情報、チャネル測定リソース（channel measurement resource、CMR）情報、干渉測定リソース（interference measurement resource、IMR）情報などを含む。チャネル測定リソースは非ゼロ電力チャネル状態情報参照信号リソース（Non-Zero Power Channel State Information-Reference Signal resource、NZP CSI-RS resource）であり、干渉測定リソースはゼロ電力チャネル状態情報参照信号リソース（Zero Power Channel State Information-Reference Signal resource、ZP CSI-RS resource）である。CSIプロセスがK≧1個のCMRを含む場合、K個のIMRが構成される必要がある。1つのNZP CMRと1つのZP IMRとが一対一の対応関係にあり、一緒に1つの（チャネルおよび干渉）測定仮説条件の構成要素となる。
【発明の概要】
【課題を解決するための手段】
【０００５】
前述の技術的解決策の問題は以下のとおりである。各測定仮説条件はただ1つのNZP CMRと1つのZP IMRとを含み、マルチユーザ干渉測定を効果的にサポートすることができない。
【０００６】
本出願の実施形態では、CSI-RSリソースに関連した構成および指示の問題について、前述の技術的問題を解決するために対応する構成および指示の技術が設計される。具体的には、チャネル状態情報参照信号測定指示方法、指示方法に基づくチャネル状態情報参照信号測定方法、対応するネットワークデバイス、および対応する端末が提供される。
【０００７】
第1の態様によれば、本出願の一実施形態はチャネル状態情報参照信号測定指示方法を提供し、本チャネル状態情報参照信号測定指示方法は、
ネットワークデバイスにより、チャネル状態情報参照信号リソースをチャネル測定に使用されるリソースセットおよび干渉測定に使用されるリソースセットとして構成するステップであって、チャネル測定に使用されるリソースセット、すなわち、チャネル測定に使用されるリソースからなるリソースセットが1つまたは複数の非ゼロ電力チャネル状態情報参照信号リソースを含み、干渉測定に使用されるリソースセット、すなわち、干渉測定に使用されるリソースからなるリソースセットが、非ゼロ電力チャネル状態情報参照信号リソースとゼロ電力チャネル状態情報参照信号リソースの少なくとも一方を含む、ステップ
を含む。
【０００８】
以下の解決策の説明における区別を容易にするために、機能の観点から、チャネル測定に使用されるリソースからなるリソースセットはチャネル測定リソースセット（channel measurement resource set、略称CMR resource set）と称され、干渉測定に使用されるリソースからなるリソースセットは干渉測定リソースセット（interference measurement resource set、略称IMR resource set）と称されることに留意されたい。CMRリソースセットおよびIMRリソースセットは以下で説明に使用され得るが、CMRリソースセットとIMRリソースセットの意味は限定されない。言い換えると、本明細書におけるCMRリソースセットはチャネル測定に使用されるCSI-RSリソースセットであり、IMRリソースセットは干渉測定に使用されるCSI-RSリソースセットである。
【０００９】
加えて、CSI-RSリソースセットがチャネル測定に使用されるNZP CSI-RSリソースと干渉測定に使用されるNZP CSI-RSリソースの両方を含む場合、そのリソースセットは以下においてCSI-RSリソースセットとして記述される。
【００１０】
ネットワークデバイスは端末に参照信号測定指示情報を送信し、指示情報は、端末に、チャネル測定に使用されるリソースセットを指示するために使用される。
【００１１】
これに対応して、本出願の一実施形態はネットワークデバイスを提供し、本ネットワークデバイスは、
チャネル状態情報参照信号リソースセットにおいてチャネル測定に使用されるリソースセットおよび干渉測定に使用されるリソースセットを構成するように構成されたプロセッサであって、チャネル測定に使用されるリソースセットが1つまたは複数の非ゼロ電力チャネル状態情報参照信号リソースを含み、干渉測定に使用されるリソースセットが、非ゼロ電力チャネル状態情報参照信号リソースとゼロ電力チャネル状態情報参照信号リソースの少なくとも一方を含む、プロセッサと、
端末に参照信号測定指示情報を送信するように構成された送受信機であって、指示情報が、端末に、チャネル測定に使用されるリソースセットを指示するために使用される、送受信機と
を含む。
【００１２】
本出願の一実施形態はチャネル状態情報参照信号測定方法をさらに提供し、本方法は、
ネットワークデバイスによって送信された参照信号測定指示情報を受信するステップであって、指示情報がチャネル測定に使用されるリソースセットを指示するために使用され、チャネル測定に使用されるリソースセットが1つまたは複数の非ゼロ電力チャネル状態情報参照信号リソースを含む、ステップと、
指示情報によって指示されるチャネル測定に使用されるリソースセット内の非ゼロ電力チャネル状態情報参照信号リソースを使用してチャネル測定を行うステップと
を含む。
【００１３】
これに対応して、本出願の一実施形態は端末を提供し、本端末は、
ネットワークデバイスによって送信された参照信号測定指示情報を受信するように構成された送受信機であって、指示情報がチャネル測定に使用されるリソースセットを指示するために使用され、チャネル測定に使用されるリソースセットが1つまたは複数の非ゼロ電力チャネル状態情報参照信号リソースを含む、送受信機と、
指示情報によって指示されるチャネル測定に使用されるリソースセット内の非ゼロ電力チャネル状態情報参照信号リソースを使用してチャネル測定を行うように構成されたプロセッサと
を含む。
【００１４】
本出願の実施形態において、チャネル測定に使用されるリソースセットはCMRリソースセットと称され、これは、CSI-RSリソースセットに含まれるNZP CSI-RSリソースがチャネル測定に使用されることを指示する。干渉測定に使用されるリソースセットはIMRリソースセットと称され、CSI-RSリソースセットに含まれるNZP CSI-RSリソースとZP CSI-RSリソースのどちらかまたは両方が干渉測定に使用されることを指示する。
【００１５】
第1の態様で提供されるチャネル状態情報参照信号測定指示方法の実施中には、ネットワークデバイスによって構成されるCMRリソースセットとIMRリソースセットとの間の対応関係があり得る。あるいは、CMRリソースセットとIMRリソースセットとの間に対応関係がない場合もある。言い換えると、CMRリソースセットとIMRリソースセットとの間には柔軟なコロケーション関係があり得る。
【００１６】
CMRリソースセットとIMRリソースセットとの間に対応関係がある。言い換えると、CMRリソースセットはIMRリソースセットと固定された一対一のコロケーション関係にあり得る、すなわち、CMRリソースセットの数はIMRリソースセットの数と同じである。この構成方法では、ネットワークデバイスは、第1のシグナリングを使用して端末に、ネットワークデバイスによって構成されたCMRリソースセットおよびIMRリソースセットと、CMRリソースセットとIMRリソースセットとの間の対応関係とを通知する。次いで、ネットワークデバイスは端末に指示情報を送信し、指示情報はチャネル測定に使用されるリソースセットおよびチャネル状態情報報告設定識別子（CSI reporting setting ID）を指示するために使用される。CMRリソースセットとIMRリソースセットとの間に対応関係があるので、ネットワークデバイスは、端末に、干渉測定に使用されるリソースセットをさらに指示する必要がない。指示されたチャネル測定に使用されるリソースセットを受信した後、端末は、チャネル測定に使用されるリソースセットに対応する干渉測定に使用されるリソースセットを取得することができる。指示に従ってチャネル測定および干渉測定を行った後、端末デバイスは、指示情報によって指示されるCSI報告設定IDに従ってCSI報告を行う。
【００１７】
CMRリソースセットとIMRリソースセットとが固定された一対一のコロケーション関係にない場合、この構成方法では、ネットワークデバイスは、第1のシグナリングを使用して端末デバイスに、ネットワークデバイスによって構成されたCMRリソースセットおよびIMRリソースセットを通知する。次いで、ネットワークデバイスは端末に指示情報を送信し、指示情報は、チャネル測定に使用されるリソースセットと、干渉測定に使用されるリソースセットと、チャネル状態情報報告設定識別子（CSI reporting setting ID）とを指示するために使用される。指示されたチャネル測定に使用されるリソースセットおよび指示された干渉測定に使用されるリソースセットを受信した後、端末デバイスは、指示に従ってチャネル測定および干渉測定を行い、次いで指示情報によって指示されるCSI報告設定IDを使用してCSI報告を行う。
【００１８】
別の実施態様では、本出願の本実施形態で提供される方法において、CMRリソースセットおよびIMRリソースセットの構成中に、事前定義された干渉仮説条件がさらに考察される。言い換えると、ネットワークデバイスは、CMRリソースセットおよびIMRリソースセットがいくつかのチャネルおよび干渉測定仮説条件の構成要素となることを構成する。各チャネルおよび干渉測定仮説条件は、（1つまたは複数のCMRを含む）1つのチャネル測定リソースセットと（1つまたは複数のNZP IMRと1つまたは複数のZP IMRとを含む）1つの干渉測定リソースセットとに対応している。この構成方法では、ネットワークデバイスは、第1のシグナリングを使用して端末に構成方法を送信し、端末に指示情報を送信する。指示情報は、チャネルおよび干渉仮説条件（Measurement hypothesis）とチャネル状態情報報告設定識別子とを指示するために使用される。指示されたチャネルおよび干渉仮説条件を受信した後、端末デバイスは、チャネル測定に使用されるリソースセットおよび干渉測定に使用されるリソースセットを取得することができ、チャネル測定および干渉測定を行い、次いで指示情報によって指示されるCSI報告設定IDを使用してCSI報告を行う。
【００１９】
前述のいくつかの実施態様では、ネットワークデバイスはネットワークデバイスによってなされた構成を指示するために端末に第1のシグナリングを送信する。通常、第1のシグナリングは、無線リソース制御（radio resource control、RRC）やMAC制御要素（Media Access Control control element、MAC CE）などの上位層シグナリングを使用して搬送される。
【００２０】
ネットワークデバイスは端末に指示情報を送信する。指示情報によって指示されるコンテンツ、例えば、CMRリソースセット、IMRリソースセット、CSI報告設定ID、および測定仮説内の1つまたは複数の情報は、第2のシグナリングを使用して、すなわち、結合フィールド（joint field）指示を使用して指示されてもよく、またはいくつかのフィールドを使用して、すなわち、分離フィールド（separate field）を使用して指示されてもよい。言い換えると、コンテンツは第2のシグナリング、第3のシグナリング、またはさらに多くのシグナリングを使用して指示される。指示情報はここでは、MAC制御要素（Media Access Control control element、MAC CE）などの上位層シグナリングまたは下り制御情報（downlink control information、DCI）を使用して搬送され得る。
【００２１】
指示情報を搬送するために使用されるDCIフィールドの長さは、RRCによって構成されるリソースの数もしくはリソースセットの数に依存するか、または固定値である。加えて、DCIフィールドの数もネットワークデバイスの構成または事前定義規則に依存する。
ネットワークデバイスは、端末側のCQIなどのCSI情報の報告品質を確実にするように、端末のCMRリソースセットおよびIMRリソースセットを構成し、NZP IMRおよびZP IMRの柔軟な構成をサポートし、様々なCMRおよびIMR測定要件を満たすことができる。
【００２２】
ネットワークデバイスは、リソースセットの粒度に基づいてチャネル状態情報参照信号リソースを構成し、チャネル状態情報参照信号リソースをチャネル測定に使用されるリソースセットおよび干渉測定に使用されるリソースセットとして構成する。本出願の実施形態の第2の態様によれば、チャネル状態情報参照信号リソースについて、ネットワークデバイスは、チャネル状態情報参照信号リソースセットのリソースをチャネル測定と干渉測定の両方に使用できることをさらに構成し得る。チャネル測定に使用されるリソースは1つまたは複数の非ゼロ電力チャネル状態情報参照信号リソースを含む。干渉測定に使用されるリソースは、非ゼロ電力チャネル状態情報参照信号リソースとゼロ電力チャネル状態情報参照信号リソースの少なくとも一方を含む。言い換えると、異なるCSI-RSリソースセットではなく1つのCSI-RSリソースセットにおいてNZP CMRとNZP IMRとが構成され得る。本方法はより柔軟であり、異なる適用シナリオを満足させることができる。
【００２３】
これに対応して、本出願の一実施形態はネットワークデバイスを提供し、本ネットワークデバイスは、
チャネル状態情報参照信号リソースセットがチャネル測定に使用されるリソースおよび干渉測定に使用されるリソースを含むことを構成するように構成されたプロセッサであって、チャネル測定に使用されるリソースが1つまたは複数の非ゼロ電力チャネル状態情報参照信号リソースを含み、干渉測定に使用されるリソースが、非ゼロ電力チャネル状態情報参照信号リソースとゼロ電力チャネル状態情報参照信号リソースの少なくとも一方を含む、プロセッサと、
端末に参照信号測定指示情報を送信するように構成された送受信機であって、指示情報が、端末に、チャネル状態情報参照信号リソースセットにおいてチャネル測定に使用されるリソースまたは干渉測定に使用されるリソースの少なくとも一方を指示するために使用される、送受信機と
を含む。
【００２４】
これに対応して、本出願の一実施形態はチャネル状態情報参照信号測定方法を提供し、本チャネル状態情報参照信号測定方法は、
ネットワークデバイスによって送信された参照信号測定指示情報を受信するステップであって、指示情報がチャネル測定に使用されるリソースを指示するために使用され、チャネル測定に使用されるリソースが1つまたは複数の非ゼロ電力チャネル状態情報参照信号リソースを含む、ステップと、
指示情報によって指示されるチャネル測定に使用されるリソースを使用してチャネル測定を行うステップと
を含む。
【００２５】
これに対応して、本出願の一実施形態は端末をさらに提供し、本端末は、
ネットワークデバイスによって送信された参照信号測定指示情報を受信するように構成された送受信機であって、指示情報がチャネル測定に使用されるリソースを指示するために使用され、チャネル測定に使用されるリソースが1つまたは複数の非ゼロ電力チャネル状態情報参照信号リソースを含む、送受信機と、
指示情報によって指示されるチャネル測定に使用されるリソースを使用してチャネル測定を行うように構成されたプロセッサと
を含む。
【００２６】
本出願の本実施形態では、チャネル状態情報参照信号リソースセットにおいて、チャネル測定に使用されるリソースは、干渉測定に使用されるリソースと完全に異なるか、部分的に同じか、または完全に同じである。言い換えると、CSI-RSリソースセットにおいて、チャネル測定に使用されるCMRリソースは、干渉測定に使用されるIMRリソースと完全にまたは部分的に同じであり得る。
【００２７】
この構成方法では、CSI-RSリソースセット内のCMRリソースとIMRリソースとは異なるコロケーション態様であり得る。異なるコロケーション態様は異なるCSI報告に対応し得る。
【００２８】
同様に、ネットワークデバイスは、チャネルおよび干渉測定仮説条件に基づいて、CSI-RSリソースセット内のどのリソースがCMRリソースとして使用され、CSI-RSリソースセット内のどのリソースがIMRリソースとして使用されるかをさらに構成し得る。具体的には、ネットワークデバイスは、少なくとも1つのチャネルおよび干渉仮説条件をまず構成し、各チャネルおよび干渉仮説条件は1つのチャネル測定リソースと1つの干渉測定リソースリソースとに対応している。
【００２９】
同様に、ネットワークデバイスは、ネットワークデバイスによってCSI-RSリソースセットに対してなされた構成を指示するために、具体的には、どのリソースがCMRリソースとして構成され、どのリソースがIMRリソースとして構成されるかを指示するために、端末に第1のシグナリングを送信する。通常、第1のシグナリングは、無線リソース制御（radio resource control、RRC）やMAC制御要素（Media Access Control control element、MAC CE）などの上位層シグナリングを使用して搬送される。
【００３０】
ネットワークデバイスは端末に指示情報を送信する。指示情報によって指示されるコンテンツ、例えば、CMRリソース、IMRリソース、CSI報告設定ID、および測定仮説内の1つまたは複数の情報は、第2のシグナリングを使用して、すなわち、結合フィールド（joint field）を使用して指示されてもよく、またはいくつかのフィールドを使用して、すなわち、分離フィールド（separate field）を使用して指示されてもよい。言い換えると、コンテンツは第2のシグナリング、第3のシグナリング、またはさらに多くのシグナリングを使用して指示される。指示情報はここでは、MAC制御要素（Media Access Control control element、MAC CE）などの上位層シグナリングまたは下り制御情報（downlink control information、DCI）を使用して搬送され得る。
【００３１】
同様に、指示情報を搬送するために使用されるDCIフィールドの長さは、RRCによって構成されるリソースの数もしくはリソースセットの数に依存するか、または固定値である。加えて、DCIフィールドの数もネットワークデバイスの構成または事前定義規則に依存する。
【００３２】
本方法の有益な効果は、NZP CMRとNZP IMRとが同じリソースセットにおいて構成されるときにCMRおよびIMRの柔軟な構成および指示をサポートすることである。具体的な適用シナリオは異なる干渉条件を有するので、ネットワーク側は、CQIなどのCSI情報の報告品質を確実にするように、前述の構成および指示方法を使用してCMRおよびIMRの様々な測定要件を満たすことができる。
【００３３】
少なくとも2つのチャネル状態情報参照信号リソース設定（CSI-RS resource setting）がある場合、指示情報は、チャネル測定に使用されるリソースと干渉測定に使用されるリソースとを区別するリンク識別子（Link ID）をさらに含む。あるいは、指示情報は、チャネル測定に使用されるリソースと干渉測定に使用されるリソースとを区別するリソース設定識別子（Resource setting ID）をさらに含む。
【００３４】
ネットワークデバイスの構成および指示オーバーヘッドをさらに低減させるために、ネットワークデバイスがチャネル状態情報参照信号リソースをチャネル測定に使用されるリソースセットおよび干渉測定に使用されるリソースセットとして構成するか、またはチャネル状態情報参照信号リソースセットがチャネル測定に使用されるリソースおよび干渉測定に使用されるリソースを含むことを構成する前に、本出願の本実施形態で提供される方法は以下をさらに含む。
【００３５】
ネットワークデバイスは、端末に、複数のチャネル状態情報参照信号リソースセットの中から選択された、チャネル状態情報測定に使用されるいくつかのチャネル状態情報参照信号リソースセットと、複数のチャネル状態情報報告設定の中から選択された、チャネル状態情報報告に使用されるいくつかのチャネル状態情報報告設定とを送信する。
【００３６】
次いで、ネットワークデバイスは、端末に、選択されたチャネル状態情報参照信号リソースセットと選択されたチャネル状態情報報告設定とを指示するために使用される第2の指示情報を送信する。
【００３７】
一実施態様において、ネットワークデバイスは、CMRリソースセットとIMRリソースセットとの間に対応関係があることを構成する。ネットワークデバイスは、CSI報告設定とCSI-RSリソースセットのM個の組み合わせをまず構成し、次いで、CSI報告設定とCSI-RSリソースセットのM個の組み合わせの中から、CSI報告設定とCSI-RSリソースセットのNps個の組み合わせを選択し、ここで、Nps≦Mである。この場合、ネットワークデバイスは、選択されたCSI報告設定とCSI-RSリソースセットのNps個の組み合わせを指示するために端末に第2の指示情報を送信する。具体的には、
【数１】
0006938659.tif 000002
bitが、選択されたCSI報告設定とCSI-RSリソースセットのNps個の組み合わせの中からの1つの組み合わせの選択を指示するために使用され得る。具体的には、CSI-RSリソースセット内のCMRリソースセットとIMRリソースセットとの間の対応関係は第1のシグナリングを使用して指示される。加えて、端末は、指示情報によって指示されるCMRリソースセットに従って対応するIMRリソースセットを知ることができる。
【００３８】
別の実施態様では、ネットワークデバイスは、N個のCSI報告設定の中からNp個のCSI報告設定をまず選択し、Np≦Nである。ネットワークデバイスは、S個のCSI-RSリソースセットの中からNS個のCSI-RSリソースセットを選択し、ここで、NS≦Sである。次いで、端末は、
【数２】
0006938659.tif 000003
bitを使用して、選択されたNp個のCSI報告設定の中から1つの設定を選択するよう命令され、端末は、
【数３】
0006938659.tif 000004
bitを使用して、選択されたNS個のCSI-RSリソースセットの中から1つのセットを選択するよう命令される。ネットワークデバイスはさらに、CSI報告設定とCSI-RSリソースセットとの間で指示オーバーヘッドを割り振るために、
【数４】
0006938659.tif 000005
を調整するか、またはNpおよび／もしくはNSを調整し得る。特に、CSI報告設定またはCSI-RSリソースセットがただ1つである場合、指示ビットが割り振られない場合もある。
【００３９】
ネットワークデバイスが、CMRリソースセットとIMRリソースセットとの間に対応関係があることを構成しない、すなわち、CMRリソースセットがIMRリソースセットと柔軟なコロケーションにある一実施態様において、ネットワークデバイスは、CSI報告設定とCMRリソースセットとIMRリソースセットとのM個の組み合わせをまず構成し、次いで、M個の組み合わせの中から、CSI報告設定とCMRリソースセットとIMRリソースセットとのNps個の組み合わせを選択し、ここで、Nps≦Mである。この場合、ネットワークデバイスは、選択されたCSI報告設定とCMRリソースセットとIMRリソースセットとのNps個の組み合わせを指示するために端末に第2の指示情報を送信する。具体的には、
【数５】
0006938659.tif 000006
bitが、選択されたNps個の組み合わせの中からの1つの組み合わせの選択を指示するために使用され得る。具体的には、指示情報によって指示されるCMRリソースセットとIMRリソースセットとに基づいて、端末は、対応するCMRリソースセットと対応するIMRリソースセットとを知ることができる。
【００４０】
さらに別の実施態様において、ネットワークデバイスは、N個のCSI報告設定の中からNp個のCSI報告設定をまず選択し、Np≦Nである。ネットワークデバイスは、チャネル測定のためのS1個のCSI-RSリソースセットの中から
【数６】
0006938659.tif 000007
個のCSI-RSリソースセットを選択し、ここで、
【数７】
0006938659.tif 000008
である。ネットワークデバイスは、干渉測定のためのS2個のCSI-RSリソースセットの中から
【数８】
0006938659.tif 000009
個のCSI-RSリソースセットを選択し、ここで、
【数９】
0006938659.tif 000010
である。次いで、端末は、
【数１０】
0006938659.tif 000011
bitを使用して、選択されたNp個のCSI報告設定の中から1つの設定を選択し、端末は、
【数１１】
0006938659.tif 000012
bitを使用して、選択されたチャネル測定に使用される
【数１２】
0006938659.tif 000013
個のCSI-RSリソースセットの中から1つのリソースセットを選択するよう命令され、端末は、
【数１３】
0006938659.tif 000014
bitを使用して、選択された干渉測定に使用される
【数１４】
0006938659.tif 000015
個のCSI-RSリソースセットの中から1つのリソースセットを選択するよう命令される。
【００４１】
ネットワークデバイスはさらに、
【数１５】
0006938659.tif 000016
を調整するか、または
【数１６】
0006938659.tif 000017
を調整し、CSI報告設定とチャネル測定に使用されるCSI-RSリソースセットまたは干渉測定に使用されるCSI-RSリソースセットとの間で指示オーバーヘッドを割り振り得る。特に、CSI報告設定またはCMRリソースセットまたはIMRリソースセットがただ1つである場合、指示ビットが割り振られない場合もある。
【００４２】
さらに別の実施態様では、チャネルおよび干渉測定仮説条件の構成に基づいて、ネットワークデバイスは、前述の方法におけるチャネルおよび干渉測定仮説条件とCSI-RS報告設定の複数の組み合わせの中から複数の組み合わせを選択し、端末のために複数の組み合わせを構成し得る。選択されたチャネルおよび干渉測定仮説条件とCSI-RS報告設定の複数の組み合わせ、またはCMRリソースセットおよび／もしくはIMRリソースセットなどのさらなる情報は、同様の結合フィールド指示または分離フィールド指示を使用して端末に指示され得る。
【００４３】
前述の
【数１７】
0006938659.tif 000018
は、1以上の自然数である。
【００４４】
加えて、CSI-RSリソースセットにおいてCMRリソースとIMRリソースの両方が構成される実施態様では、CSI-RSリソースセットもまず選択され、次いで対応する第2の指示情報を使用して指示され得る。
【００４５】
前述の選択方法では、指示オーバーヘッドを低減させることができ、指示オーバーヘッドを柔軟に割り振ることができる。具体的な適用シナリオは異なる干渉条件を有するので、ネットワーク側は、CQIなどのCSI情報の報告品質を確実にするように、前述の構成および指示方法を使用して様々なCMRおよびIMR測定要件を満たすことができる。
【００４６】
本出願の本実施形態で提供されるネットワークデバイスは基地局または制御ノードであり得る。
【００４７】
別の態様によれば、本出願の一実施形態は基地局を提供し、本基地局は、前述の方法設計における基地局の挙動を実施する機能を有する。これらの機能は、ハードウェアを使用して実施され得るか、またはハードウェアが対応するソフトウェアを実行することによって実施され得る。ハードウェアまたはソフトウェアは機能に対応する1つまたは複数のモジュールを含む。
【００４８】
1つの可能な設計では、本基地局の構造はプロセッサと送受信機とを含み、プロセッサは、前述の方法における対応する機能を行う際に基地局をサポートするように構成される。送受信機は、基地局とUEとの間の通信をサポートし、UEに前述の方法で使用される情報またはシグナリングを送信し、基地局によって送信された情報または命令を受信するように構成される。基地局はメモリをさらに含んでいてもよく、メモリは、プロセッサに結合し、基地局に必要なプログラム命令およびデータを格納するように構成される。
【００４９】
本出願の一実施形態で提供される端末は、前述の方法における端末の挙動を実施する機能を有する。これらの機能はハードウェアによって実施され、端末の構造は、送受信機とプロセッサとを含む。あるいは、これらの機能は、ハードウェアが対応するソフトウェアを実行することによって実施されてもよい。ハードウェアまたはソフトウェアは機能に対応する1つまたは複数のモジュールを含む。モジュールはソフトウェアおよび／またはハードウェアであり得る。
【００５０】
さらに別の態様によれば、本出願の一実施形態は、コントローラ／プロセッサと、メモリと、通信部とを含み得る制御ノードを提供する。コントローラ／プロセッサは、複数の基地局の間のリソース管理および構成を調整するように構成され、前述の実施形態に記載される方法を行うように構成され得る。メモリは、制御ノードのプログラムコードおよびデータを格納するように構成され得る。通信部は、制御ノードと基地局との間の通信をサポートする、例えば、基地局に構成されたリソースに関する情報を送信するように構成される。
【００５１】
さらに別の態様によれば、本出願の一実施形態は通信システムを提供し、本システムは、前述の態様に記載される基地局と端末とを含む。任意選択で、本通信システムは、前述の実施形態における制御ノードをさらに含み得る。
【００５２】
さらに別の態様によれば、本出願の一実施形態は、前述の態様を実行するように設計されたプログラムを含む、前述の基地局によって使用されるコンピュータソフトウェア命令を格納するように構成された、コンピュータ記憶媒体を提供する。
【００５３】
さらに別の態様によれば、本出願の一実施形態は、前述の態様を実行するように設計されたプログラムを含む、前述の端末によって使用されるコンピュータソフトウェア命令を格納するように構成された、コンピュータ記憶媒体を提供する。
【００５４】
さらに別の態様によれば、本出願の一実施形態は、プロセッサとインターフェースとを含む、処理装置をさらに提供し、
プロセッサは、CSI-RSリソースをチャネル測定に使用されるリソースセットおよび干渉測定に使用されるリソースセットとして構成し、チャネル測定に使用されるリソースセットと干渉測定に使用されるリソースセットとの間の複数の対応関係を提供するように構成される。別の実施態様では、CSI-RSリソースセットについて、ネットワークデバイスは、CSI-RSリソースセット内のリソースがチャネル測定に使用されるリソースと干渉測定に使用されるリソースの両方を含むことを構成し、
プロセッサは、チャネル測定に使用されるリソースセットを指示するか、またはどのリソースがチャネル測定に使用されるリソースであり、どのリソースが干渉測定に使用されるリソースであるかを指示するために、インターフェースを使用して端末に参照信号測定指示情報を送信するようにさらに構成される。
【００５５】
あるいは、プロセッサは、インターフェースを使用して、ネットワークデバイスによって送信された参照信号測定指示情報を受信するように構成され、指示情報がチャネル測定に使用されるリソースセットを指示するために使用され、チャネル測定に使用されるリソースセットが1つまたは複数の非ゼロ電力チャネル状態情報参照信号リソースを含むか、または指示情報がチャネル測定に使用されるリソースを指示するために使用され、チャネル測定に使用されるリソースが1つまたは複数の非ゼロ電力チャネル状態情報参照信号リソースであり、プロセッサは、指示情報によって指示されるチャネル測定に使用されるリソースセット内の非ゼロ電力チャネル状態情報参照信号リソースを使用してチャネル測定を行うか、または指示情報によって指示されるチャネル測定に使用されるリソースを使用してチャネル測定を行う。
【００５６】
本処理装置はチップであり得る。プロセッサは、ハードウェアまたはソフトウェアを使用して実施され得る。プロセッサがハードウェアを使用して実施される場合、プロセッサは、論理回路、集積回路などであってもよく、またはプロセッサがソフトウェアを使用して実施される場合、プロセッサは、汎用プロセッサであってもよく、メモリに格納されたソフトウェアコードを読み出すことによって実施される。メモリは、プロセッサに統合されていてもよく、プロセッサの外部に位置し、独立して存在していてもよい。
【００５７】
本出願では、CSI-RSリソースに関連した構成および指示の問題について、対応する構成および指示技術が設計され、それらは以下を含む。ネットワークデバイスは、CSI-RSリソースをチャネル測定に使用されるリソースセットおよび干渉測定に使用されるリソースセットとして構成し、チャネル測定に使用されるリソースセットと干渉測定に使用されるリソースセットとの間の複数の対応関係を提供する。別の実施態様では、CSI-RSリソースセットについて、ネットワークデバイスは、CSI-RSリソースセット内のリソースがチャネル測定に使用されるリソースと干渉測定に使用されるリソースの両方を含むことを構成する。ネットワークデバイスは、チャネル測定に使用されるリソースセットを指示するか、またはどのリソースがチャネル測定に使用され、どのリソースが干渉測定に使用されるかを指示するために、端末に参照信号測定指示情報を送信する。このようにして、ネットワークデバイスは、CSI-RSリソースに対して柔軟で多様な構成を行い、指示オーバーヘッドを可能な限り低減させ、それによって、NRシステムにおいて複数のユーザ端末によって行われるチャネルおよび干渉測定の要件を満たす。
【００５８】
本出願の実施形態における技術的解決策をより明確に説明するために、以下で、それらの実施形態を説明するのに必要な添付の図面について簡単に述べる。明らかに、以下の説明の添付の図面は本出願の一部の実施形態を示しているにすぎず、当業者はこれら添付の図面から難なく他の図面を導出することができよう。
【図面の簡単な説明】
【００５９】
【図１】先行技術におけるチャネル状態情報参照信号測定のための構成の概略図である。
【図２】本出願の一実施形態によるチャネル状態情報参照信号測定方法の概略的流れ図である。
【図３】本出願の一実施形態によるチャネル状態情報参照信号測定のための構成の概略図である。
【図４】本出願の一実施形態によるチャネル状態情報参照信号測定のための別の構成の概略図である。
【図５】本出願の一実施形態による別のチャネル状態情報参照信号測定方法の概略的流れ図である。
【図６】本出願の一実施形態によるチャネル状態情報参照信号測定のための別の構成の概略図である。
【図７】本出願の一実施形態によるネットワークデバイスの概略図である。
【図８】本出願の一実施形態によるネットワークデバイスの概略的構造図である。
【図９】本出願の一実施形態による端末の概略図である。
【図１０】本出願の一実施形態による端末の概略的構造図である。
【発明を実施するための形態】
【００６０】
本発明の実施形態は無線通信システムに適用され得る。無線通信システムは一般にセルを含み、各セルは1つの基地局（Base Station、BS）を含む。基地局は複数の端末デバイスに通信サービスを提供する。基地局はベースバンドユニット（Baseband Unit、BBU）と、リモート無線ユニット（Remote Radio Unit、RRU）とを含む。BBUとRRUとは異なる場所に配置され得る。例えば、RRUはリモートであり、比較的交通量の多い場所の近くの開けたエリアに配置され、BBUは中央機器室に配置される。あるいは、BBUとRRUとは同じ機器室に配置されてもよい。あるいは、BBUとRRUとは1つのラック内の異なる構成要素であってもよい。
【００６１】
本発明の実施形態における無線通信システムは、狭帯域モノのインターネット（Narrowband Internet of Things、NB-IoT）、グローバル・システム・フォー・モバイル・コミュニケーションズ（Global System for Mobile Communications、GSM（登録商標））、エンハンスト・データ・レート・フォー・GSMエボリューション（Enhanced Data rate for GSM Evolution、EDGE）システム、広帯域符号分割多元接続（Wideband Code Division Multiple Access、WCDMA（登録商標））システム、符号分割多元接続2000（Code Division Multiple Access、CDMA 2000）システム、時分割同期符号分割多元接続（Time Division-Synchronous Code Division Multiple Access、TD-SCDMA）システム、ロングタームエボリューション（Long Term Evolution、LTE）システム、NRシステム、および将来の移動通信システム、を含むがこれに限定されないことに留意されたい。
【００６２】
本発明の実施形態では、基地局は、無線アクセスネットワークに配置され、端末デバイスに無線通信機能を提供するように構成された装置である。基地局は、マクロ基地局、マイクロ基地局（スモールセルとも称される）、中継ノード、アクセスポイント、TRP、および様々な形態の同様のものを含み得る。異なるアクセス技術を使用するシステムにおいて、基地局機能を有するデバイスの名前は異なり得る。例えば、LTEシステムでは、このデバイスは進化型NodeB（evolved NodeB、eNBまたはeNodeB）と称され、第3世代（3rd Generation、3G）システムでは、このデバイスはNodeB（Node B、NB）と称される。記述を容易にするために、本発明のすべての実施形態において、端末デバイスに無線通信機能を提供するすべての装置をまとめてネットワークデバイスと称する。
【００６３】
本発明の実施形態における端末デバイスは、様々なハンドヘルドデバイス、車載デバイス、ウェアラブルデバイス、または無線通信機能を有するコンピューティングデバイス、または無線モデムに接続された他の処理デバイスを含み得る。端末デバイスは、移動局（Mobile Station、MS）、端末（Terminal）とも称され、または加入者ユニット（subscriber unit）、セルラ電話（cellular phone）、スマートフォン（smartphone）、無線データカード、パーソナルデジタルアシスタント（Personal Digital Assistant、PDA）コンピュータ、タブレットコンピュータ、無線モデム（modem）、ハンドセット（handset）、ラップトップコンピュータ（laptop computer）、マシンタイプコミュニケーション（Machine Type Communication、MTC）端末などを含み得る。記述を容易にするために、本発明のすべての実施形態において上述したデバイスをまとめて端末デバイスと称する。
【００６４】
LTEでは、ネットワーク側が1つの干渉測定仮説条件のための1つのCSIプロセスを構成する。協調する基地局の数が増加すると、干渉測定仮説条件も増加し、ゆえに、構成される必要のあるCSIプロセスの数が増加し、システムはスケーラブルではない。1つのCSIプロセスは、1つのチャネル測定に使用される非ゼロ電力チャネル状態情報参照信号NZP CSI-RSリソースと、1つの干渉測定に使用されるZP CSI-RSリソースとを含む。干渉測定仮説条件が増加すると、より多くのZP CSI-RSリソースが構成されることが必要になり、ゆえに、多数の下り伝送リソースが占有される。
【００６５】
これを考慮して、本発明の実施形態は、協調基地局が増加するときにシステムがスケーラブルであり、占有される下り伝送リソースがより少なくなるように、チャネル状態情報処理方法およびチャネル状態情報処理装置を提供する
【００６６】
第3世代パートナーシッププロジェクト（3rd Generation Partnership Project、3GPP）の新無線（New Radio、NR）は、CSI報告設定情報（CSI reporting setting）、リソース設定情報（Resource Setting）、および測定設定情報（Measurement Setting）を含む、新しいCSI測定報告アーキテクチャを定義する。1台の端末デバイスに1つの測定設定情報が構成され、測定設定情報は、少なくとも1つのCSI報告設定情報、少なくとも1つの報告設定情報、および少なくとも1つのリンク（Link）を含む。1つのリンクは1つのCSI報告設定情報と1つの報告設定情報との間の関連付けを指示し、また、報告設定情報がチャネル測定または干渉測定に使用されることも指示する。
【００６７】
図1は、CSI測定報告アーキテクチャに基づいて測定設定指示方式の例図である。例えば、CSI報告設定情報0は、2つのリンクをそれぞれ使用してリソース設定情報0とリソース設定情報1とに接続されている。リソース設定情報1は、干渉測定に使用される複数のチャネル状態情報干渉測定（Channel State Information-Interference Measurement、CSI-IM）リソースを含む。リソース設定情報0は、チャネル測定に使用される複数のチャネル状態情報参照信号（Channel State Information-Reference Signal、CSI-RS）リソースを含む。LTEでは、リソース設定情報0内のリソースを使用して測定されるものが信号部分として使用され、リソース設定情報1内のリソースを使用して測定されるものが干渉部分として使用される。リソース設定情報0内のリソースは複数のNZP CMR、例えば、図中のリソース0、リソース1、…、リソースNを含む。リソース設定情報1内のリソースは複数のZP IMR、例えば、図中のリソース0、リソース1、…、リソースNである。1つのNZP CMRは1つのZP IMRと一対一の対応関係にある。例えば、リソース設定情報0内のリソース0はリソース設定情報1内のリソース0に対応している。一対一の対応関係にある前述のNZP CMRとZP IMRとは、一緒に1つの（チャネルおよび干渉）測定仮説条件の構成要素となる。
【００６８】
複数の干渉測定仮説条件が測定される必要がある場合、ネットワークデバイスは複数の干渉測定仮説条件を指示する必要がある。複数の指示が必要とされ、チャネル測定に使用されるいくつかのリソースと干渉測定に使用されるいくつかのリソースとがその都度指示される。したがって、多数の指示オーバーヘッドが存在し、この方法ではマルチユーザ干渉測定を効果的にサポートすることができない。
【００６９】
したがって、本出願の一実施形態はチャネル状態情報参照信号測定指示方法を提供する。図2に示されるように、本方法は以下のステップを含む。
【００７０】
ステップ100：ネットワークデバイスが、チャネル状態情報参照信号リソースをチャネル測定に使用されるリソースセットおよび干渉測定に使用されるリソースセットとして構成する。チャネル測定に使用されるリソースセット、すなわち、チャネル測定に使用されるリソースからなるリソースセット（channel measurement resource set、略称CMR resource set）は、1つまたは複数の非ゼロ電力チャネル状態情報参照信号リソースを含む。干渉測定に使用されるリソースセット、すなわち、干渉測定に使用されるリソースからなるリソースセット（interference measurement resource set、略称IMR resource set）は、非ゼロ電力チャネル状態情報参照信号リソースとゼロ電力チャネル状態情報参照信号リソースの少なくとも一方を含む。
【００７１】
ステップ101：ネットワークデバイスが端末に参照信号測定指示情報を送信し、指示情報は、端末に、チャネル測定に使用されるリソースセットを指示するために使用される。
【００７２】
ステップ102：端末がネットワークデバイスによって送信された参照信号測定指示情報を受信し、指示情報はチャネル測定に使用されるリソースセットを指示するために使用される。
【００７３】
ステップ103：端末デバイスが、チャネル測定に使用されるリソースセット内の、指示情報によって指示される非ゼロ電力チャネル状態情報参照信号リソースを使用してチャネル測定を行う。あるいはさらに、端末は、指示情報によって指示される干渉測定に使用されるリソースセット内の非ゼロ電力チャネル状態情報参照信号リソースまたはゼロ電力チャネル状態情報参照信号リソースを使用して干渉測定を行う。
【００７４】
本出願の本実施形態では、チャネル測定に使用されるリソースセットはCMRリソースセットと称され、これは、リソースセットに含まれるNZP CSI-RSリソースがチャネル測定に使用されることを指示することに留意されたい。干渉測定に使用されるリソースセットはIMRリソースセットと称され、これは、リソースセットに含まれるNZP CSI-RSリソースとZP CSI-RSリソースのどちらかまたは両方が干渉測定に使用されることを指示する。
【００７５】
チャネル状態情報参照信号測定指示方法の実施中には、ネットワークデバイスによって構成されるCMRリソースセットとIMRリソースセットとの間の対応関係があり得る。あるいは、CMRリソースセットとIMRリソースセットとの間に対応関係がない場合もある。言い換えると、CMRリソースセットとIMRリソースセットとの間には柔軟なコロケーション関係があり得る。
【００７６】
CMRリソースセットとIMRリソースセットとの間に対応関係がある。すなわち、CMRリソースセットはIMRリソースセットと固定された一対一のコロケーション関係にあり得る、すなわちCMRリソースセットの数はIMRリソースセットの数と同じである。この構成方法では、ネットワークデバイスは、第1のシグナリングを使用して端末に、ネットワークデバイスによって構成されたCMRリソースセットおよびIMRリソースセットと、CMRリソースセットとIMRリソースセットとの間の対応関係とを通知する。次いで、ネットワークデバイスは端末に指示情報を送信し、指示情報はチャネル測定に使用されるリソースセットの識別子（CMR resource set ID）およびチャネル状態情報報告設定識別子（CSI reporting setting ID）を指示するために使用される。CMRリソースセットとIMRリソースセットとの間に対応関係があるので、ネットワークデバイスは、端末に、干渉測定に使用されるリソースセットをさらに指示する必要がない。指示されたチャネル測定に使用されるリソースセットを受信した後、端末は、チャネル測定に使用されるリソースセットに対応する干渉測定に使用されるリソースセットを取得することができる。指示に従ってチャネル測定および干渉測定を行った後、端末デバイスは、指示情報によって指示されるCSI報告設定IDに従ってCSI報告を行う。具体的な実施プロセスを図3および実施形態1に示す。
【００７７】
実施形態1
本出願の実施形態1では主に、CMRリソースセットとIMRリソースセットとの固定されたコロケーションのための構成および指示方法を説明し、実施形態1の核心は以下のとおりである。
【００７８】
ネットワークデバイスは、CMRリソースセットとIMRリソースセットとの間の対応関係を構成し、CMRリソースセットはIMRリソースセットに対応しており、
ネットワークデバイスは、CMRリソースセットの指示に従って、チャネル測定仮説および干渉測定仮説の測定リソースのための結合指示を完了する。
【００７９】
図2に示されるように、実施形態1には、具体的には複数のCMRリソースセットとIMRリソースセットとがある。
【００８０】
ネットワーク側は、リンク0を使用して、リソース設定情報0がチャネル測定に使用されることを指示し、リンク1を使用して、リソース設定情報1が干渉測定に使用されることを指示する。
【００８１】
リソース設定情報0は、チャネル測定に使用され、SCMR≧1個のCSI-RSリソースセット、すなわち、それぞれ、セット0−1、セット0−2、セット0−3であるCMRリソースセットを含む。各CSI-RSリソースセットは1つまたは複数のNZP CSI-RSリソース（NZP CMR）を含む（図3中の小さい円は1つのリソースを表し、他の実施形態も同様である）。
【００８２】
リソース設定情報1は、干渉測定に使用され、SIMR≧1個のCSI-RSリソースセット、すなわち、それぞれ、セット1−1、セット1−2、セット1−3であるIMRリソースセットを含む。各CSI-RSリソースセットは、1つもしくは複数のNZP CSI-RSリソース（NZP IMR）、または1つもしくは複数のZP CSI-RSリソース（ZP IMR）、または1つもしくは複数のNZP IMRおよび1つもしくは複数のZP IMRを含み得る。
【００８３】
SCMRはSIMRと同じであり、すなわち、SCMR＝SIMRである。
【００８４】
ネットワークデバイスは、第1のシグナリングを使用して、リソース設定情報0内のCSI-RSリソースセットがリソース設定情報1内のCSI-RSリソースセットと固定された一対一のコロケーション関係にあることを構成する。例えば、ネットワークデバイスは、CMRリソースセットがIMRリソースセットと固定されたコロケーションにあることを構成し、セット0−1がセット1−1と対応しており、セット0−2がセット1−2と対応しており、セット0−3がセット1−3と対応していることを構成する。
【００８５】
1つの可能な実施態様は以下のとおりである。
【００８６】
リソース設定情報0において1つまたは複数のリソースセットが構成される。
RS-SET-List  SEQUENCE（SIZE（1…S））  OF  CSI-RS-SET-ConfigId
【００８７】
SCMR個のCSI-RSリソースセットのうちの1つ（セットID）がリストの各エントリに書き込まれる。
【００８８】
リソース設定情報1において1つまたは複数のリソースセットが構成される。
RS-SET-List  SEQUENCE（SIZE（1…S））  OF  CSI-RS-SET-ConfigId
【００８９】
2つのリストの同じ位置にあるエントリに含まれるセットIDはコロケートされ、組み合わされて1つのチャネルおよび干渉測定リソース組み合わせになる。すなわち、
リソース設定情報0のRS-SET-List（0）とリソース設定情報1のRS-SET-List（0）のコロケーション、
リソース設定情報0のRS-SET-List（1）とリソース設定情報1のRS-SET-List（1）のコロケーション、
…
リソース設定情報0のRS-SET-List（S−1）とリソース設定情報1のRS-SET-List（S−1）のコロケーション
である。
【００９０】
この構成方法では、ネットワークデバイスが指示のために端末に指示情報を送信する解決策は以下のとおりである。
【００９１】
1つの可能な実施態様では結合フィールド（Joint field）指示を使用している。ネットワーク側は、N bitの第2のシグナリングを使用して｛CSI reporting setting ID，CSI-RS resource set ID｝情報を指示する。表1に示されるように、CSI-RSリソースセットIDは、リソース設定情報0において構成されたRS-SET-LISTに含まれるセットIDである。
【００９２】
【表１】
0006938659.tif 000019
【００９３】
別の可能な実施態様では分離フィールド（Separate field）指示を使用している。表2に示されるように、ネットワークデバイスは、N1 bitを使用してCSI報告設定IDを指示し、N2 bitを使用してCSI-RSリソースセットIDを指示する。
【００９４】
【表２】
0006938659.tif 000020
【００９５】
前述のシグナリング構成および指示に従って、端末は、対応するチャネル測定リソースおよび対応する干渉測定リソースでCSI測定を行い、対応するCSI報告設定に従ってCSI報告を報告する。
【００９６】
本出願の実施形態1の有益な効果は、CMRとIMRの統一された構成をサポートするとともに、NZP IMRおよびZP IMRの柔軟な構成もサポートすることである。具体的な適用シナリオは異なる干渉条件を有するので、ネットワーク側は、CQIなどのCSI情報の報告品質を確実にするように、前述の構成および指示方法を使用して様々なCMRおよびIMR測定要件を満たすことができる。
【００９７】
CMRリソースセットとIMRリソースセットとが固定された一対一のコロケーション関係にない場合、この構成方法では、ネットワークデバイスは、第1のシグナリングを使用して端末デバイスに、ネットワークデバイスによって構成されたCMRリソースセットおよびIMRリソースセットを通知する。次いで、ネットワークデバイスは端末に指示情報を送信し、指示情報は、チャネル測定に使用されるリソースセットと、干渉測定に使用されるリソースセットと、チャネル状態情報報告設定識別子（CSI reporting setting ID）とを指示するために使用される。指示されたチャネル測定に使用されるリソースセットおよび指示された干渉測定に使用されるリソースセットを受信した後、端末デバイスは、指示に従ってチャネル測定および干渉測定を行い、次いで指示情報によって指示されるCSI報告設定IDを使用してCSI報告を行う。詳細を図4および実施形態2に示す。
【００９８】
実施形態2
本出願の実施形態2では主に、CMRリソースセットとIMRリソースセットの柔軟なコロケーションのための構成および指示方法を説明し、実施形態2の核心は以下のとおりである。
【００９９】
ネットワークデバイスによって構成されたCMRリソースセットとIMRリソースセットとの間に所定の対応関係はなく、
ネットワークデバイスは、｛CMR resource set，IMR resource set｝の指示を使用して、チャネル測定仮説および干渉測定仮説の測定リソースのための結合指示を完了する。
【０１００】
具体的には、図4に示されるように、
リソース設定情報0は、チャネル測定に使用され、SCMR≧1個のCSI-RSリソースセット、すなわち、それぞれ、セット0−1、セット0−2、セット0−3であるCMRリソースセットを含む。各CSI-RSリソースセットは、1つまたは複数のNZP CSI-RSリソース（NZP CMR）を含む。
リソース設定情報1は、干渉測定に使用され、SIMR≧1個のCSI-RSリソースセット、すなわち、それぞれ、セット1−1およびセット1−2であるIMRリソースセットを含む。各CSI-RSリソースセットは、1つもしくは複数のNZP CSI-RSリソース（NZP IMR）、または1つもしくは複数のZP CSI-RSリソース（ZP IMR）、または1つもしくは複数のNZP IMRおよび1つもしくは複数のZP IMRを含み得る。
【０１０１】
SCMRはSIMRと同じか、または異なっていてもよく、CMRリソースセットとIMRリソースセットとは固定された対応関係になく、柔軟にコロケートされ得る。
【０１０２】
ネットワークデバイスは、第1のシグナリングを使用して、リソース設定情報0内のCSI-RSリソースセットとリソース設定情報1内のCSI-RSリソースセットとを構成する。1つの可能な実施態様は以下のとおりである。
【０１０３】
リソース設定情報0において1つまたは複数のリソースセットが構成される。
CMR-SET-List  SEQUENCE（SIZE（1…SCMR））  OF  CSI-RS-SET-ConfigId
【０１０４】
リソース設定情報1において1つまたは複数のリソースセットが構成される。
IMR-SET-List  SEQUENCE（SIZE（1…SIMR））  OF  CSI-RS-SET-ConfigId
【０１０５】
この構成方法では、ネットワークデバイスが指示のために端末に指示情報を送信する解決策は以下のとおりである。
【０１０６】
1つの可能な実施態様では結合フィールド指示を使用している。ネットワークデバイスは、N bitの第2のシグナリングを使用して｛CSI reporting setting ID，CMR resource set ID，IMR resource set ID｝情報を指示する。表3に示されるように、CMRリソースセットIDはリソース設定情報0に含まれるCSI-RSリソースセットIDであり、IMRリソースセットIDはリソース設定情報1に含まれるCSI-RSリソースセットIDである。
【０１０７】
【表３】
0006938659.tif 000021
【０１０８】
別の可能な実施態様では分離フィールド指示を使用している。表4に示されるように、ネットワークデバイスは、N1 bitを使用してCSI報告設定IDを指示し、N2 bitを使用して｛CMR resource set ID，IMR resource set ID｝を指示する。
【０１０９】
【表４】
0006938659.tif 000022
【０１１０】
第3の可能な実施態様では分離フィールド指示を使用している。表5に示されるように、ネットワークデバイスは、N1 bitを使用してCSI報告設定IDを指示し、N2 bitを使用してCMRリソースセットIDを指示し、N3 bitを使用してIMRリソースセットIDを指示する。
【０１１１】
【表５】
0006938659.tif 000023
【０１１２】
本出願の実施形態2の有益な効果は、CMRおよびIMRの柔軟なコロケーションをサポートするとともに、NZP IMRおよびZP IMRの柔軟な構成もサポートすることである。具体的な適用シナリオは異なる干渉条件を有するので、ネットワーク側は、CQIなどのCSI情報の報告品質を確実にするように、前述の構成および指示方法を使用して様々なCMRおよびIMR測定要件を満たすことができる。
【０１１３】
本出願の本実施形態提供される方法では、本出願の本実施形態で提供される方法において、CMRリソースセットおよびIMRリソースセットの構成中に、事前定義された干渉仮説条件がさらに考察される。すなわち、ネットワークデバイスは、CMRリソースセットおよびIMRリソースセットがいくつかのチャネルおよび干渉測定仮説条件の構成要素となることを構成する。各チャネルおよび干渉測定仮説条件は、（1つまたは複数のCMRを含む）1つのチャネル測定リソースセットと（1つまたは複数のNZP IMRと1つまたは複数のZP IMRとを含む）1つの干渉測定リソースセットとに対応している。この構成方法では、ネットワークデバイスは、第1のシグナリングを使用して端末に構成方法を送信し、端末に指示情報を送信する。指示情報は、チャネルおよび干渉仮説条件（Measurement hypothesis）とチャネル状態情報報告設定識別子とを指示するために使用される。指示されたチャネルおよび干渉仮説条件を受信した後、端末デバイスは、チャネル測定に使用されるリソースセットおよび干渉測定に使用されるリソースセットを取得することができ、チャネル測定および干渉測定を行い、次いで指示情報によって指示されるCSI報告設定IDを使用してCSI報告を行う。詳細を実施形態3に示す。
【０１１４】
実施形態3
本出願の実施形態3では主に、事前定義されたチャネルおよび干渉仮説条件に基づく構成および指示方法を説明し、実施形態3の核心は以下のとおりである。
【０１１５】
ネットワークデバイスがCMRリソースセットとIMRリソースセットとの間のコロケーション関係を構成し、
ネットワークデバイスは、｛Measurement hypothesis｝の指示を使用して、チャネル測定仮説および干渉測定仮説の測定リソースのための結合指示を完了する。
【０１１６】
図4に示されるように、ネットワークデバイスは、第1のシグナリングを使用して、リソース設定情報0内のCSI-RSリソースセットとリソース設定情報1内のCSI-RSリソースセットとがチャネルおよび干渉測定仮説条件の構成要素となることを構成する。各チャネルおよび干渉測定仮説条件は、（1つまたは複数のCMRを含む）1つのチャネル測定リソースグループと（1つまたは複数のNZP IMRと1つまたは複数のZP IMRとを含む）1つの干渉測定リソースグループとに対応している。
【０１１７】
表6に1つの可能な実施態様を示す。
【０１１８】
【表６】
0006938659.tif 000024
【０１１９】
この構成方法では、ネットワークデバイスが指示のために端末に指示情報を送信する解決策は以下のとおりである。
【０１２０】
1つの可能な実施態様では結合フィールド指示を使用している。表7に示されるように、ネットワークデバイスは、第2のシグナリングN bitを使用して｛CSI reporting setting ID，Measurement hypothesis ID｝情報を指示し、測定仮説IDは、前述の表で決定された測定仮説インデックスであり、対応するCMRセットと対応するIMRセットとを表す。
【０１２１】
【表７】
0006938659.tif 000025
【０１２２】
別の可能な実施態様では分離フィールド指示を使用している。ネットワークデバイスは、N1 bitを使用してCSI報告設定ID情報を指示し、N2 bitを使用して測定仮説ID情報を指示する。表8に示されるように、測定仮説IDは、前述の表で決定された測定仮説インデックスであり、対応するCMRセットと対応するIMRセットとを表す。
【０１２３】
【表８】
0006938659.tif 000026
【０１２４】
実施形態3の有益な効果は、CMRおよびIMRの柔軟なコロケーションをサポートするとともに、NZP IMRおよびZP IMRの柔軟な構成もサポートすることである。具体的な適用シナリオは異なるチャネルおよび干渉測定条件を有するので、ネットワーク側は、CQIなどのCSI情報の報告品質を確実にするように、前述の構成および指示方法を使用して様々なCMRおよびIMR測定要件を満たすことができる。
【０１２５】
前述のいくつかの実施態様では、ネットワークデバイスはネットワークデバイスによってなされた構成を指示するために端末に第1のシグナリングを送る。通常、第1のシグナリングは、無線リソース制御（radio resource control、RRC）やMAC制御要素（Media Access Control control element、MAC CE）などの上位層シグナリングを使用して搬送される。
【０１２６】
ネットワークデバイスは端末に指示情報を送信する。指示情報によって指示されるコンテンツ、例えば、CMRリソースセット、IMRリソースセット、CSI報告設定ID、および測定仮説内の1つまたは複数の情報は、1つの第2のシグナリングを使用して、すなわち、結合フィールド（joint field）を使用して指示されてもよく、またはいくつかのフィールドを使用して、すなわち、分離フィールド（separate field）を使用して指示されてもよい。言い換えると、コンテンツは第2のシグナリング、第3のシグナリング、またはさらに多くのシグナリングを使用して指示される。指示情報はここでは、下り制御情報（downlink control information、DCI）を使用して搬送され得るか、またはMAC制御要素（Media Access Control control element、MAC CE）などの上位層シグナリングを使用して搬送され得る。後続の実施形態も同様である。
【０１２７】
指示情報を搬送するために使用されるDCIフィールドの長さは、RRCによって構成されるリソースの数もしくはリソースセットの数に依存するか、または固定値である。加えて、DCIフィールドの数もネットワークデバイスの構成または事前定義規則に依存する。
【０１２８】
ネットワークデバイスは、端末側のCQIなどのCSI情報の報告品質を確実にするように、端末のCMRリソースセットおよびIMRリソースセットを構成し、NZP IMRおよびZP IMRの柔軟な構成をサポートし、様々なCMRおよびIMR測定要件を満たすことができる。
【０１２９】
ネットワークデバイスは、リソースセットの粒度に基づいてチャネル状態情報参照信号リソースを構成し、チャネル状態情報参照信号リソースをチャネル測定に使用されるリソースセットおよび干渉測定に使用されるリソースセットとして構成する。
【０１３０】
本出願の実施形態において、チャネル状態情報参照信号リソースについて、ネットワークデバイスは、チャネル状態情報参照信号リソースセットのリソースをチャネル測定と干渉測定の両方に使用できることをさらに構成し得る。チャネル測定に使用されるリソースは1つまたは複数の非ゼロ電力チャネル状態情報参照信号リソースを含む。干渉測定に使用されるリソースは、非ゼロ電力チャネル状態情報参照信号リソースとゼロ電力チャネル状態情報参照信号リソースの少なくとも一方を含む。言い換えると、異なるCSI-RSリソースセットではなく1つのCSI-RSリソースセットにおいてNZP CMRとNZP IMRとが構成され得る。本方法はより柔軟であり、異なる適用シナリオを満足させることができる。図5に示されるように、本実施形態における方法プロセスは以下のとおりである。
【０１３１】
ステップ200：ネットワークデバイスが、チャネル状態情報参照信号リソースセットがチャネル測定に使用されるリソースおよび干渉測定に使用されるリソースを含むことを構成し、チャネル測定に使用されるリソースは1つまたは複数の非ゼロ電力チャネル状態情報参照信号リソースを含み、干渉測定に使用されるリソースは、非ゼロ電力チャネル状態情報参照信号リソースとゼロ電力チャネル状態情報参照信号リソースの少なくとも一方を含む。
【０１３２】
ステップ201：ネットワークデバイスが端末に参照信号測定指示情報を送信し、指示情報は、端末に、チャネル状態情報参照信号リソースセットにおいてチャネル測定に使用されるリソースまたは干渉測定に使用されるリソースの少なくとも一方を指示するために使用される。
【０１３３】
ステップ203：ネットワークデバイスによって送信された参照信号測定指示情報を受信し、指示情報はチャネル測定に使用されるリソースを指示するために使用され、チャネル測定に使用されるリソースは1つまたは複数の非ゼロ電力チャネル状態情報参照信号リソースである。
【０１３４】
ステップ204：指示情報によって指示されるチャネル測定に使用されるリソースを使用してチャネル測定を行う。
【０１３５】
詳細を図6および実施形態4に示す。
【０１３６】
実施形態4
本出願の実施形態4では、NZP CMRとNZP IMRの両方を含むCSI-RSリソースセットのための構成および指示方法を説明し、実施形態4の核心は以下のとおりである。
【０１３７】
ネットワークデバイスによって構成されたCSI-RSリソースセットがNZP CMRとNZP IMRの両方を含み、NZP CMRおよびNZP IMRの一部または全部が同じNZP CSI-RSリソースであってもよく、
ネットワークデバイスは、CSI-RSリソースセットの指示を使用して、チャネルおよび干渉測定に使用されるNZP CSI-RSリソースを決定する。具体的には、ネットワークデバイスは、CMRおよびIMRを指示することによって前述のリソースセットにおいてチャネル測定に使用されるリソースおよび干渉測定に使用されるリソースを決定する。
【０１３８】
ネットワークデバイスは、リンク0を使用して、リソース設定情報0がチャネル測定に使用されることを指示し、リンク1を使用して、リソース設定情報1が干渉測定に使用されることを指示する。リソース設定情報0において構成されたNZP CSI-RSリソースをチャネル測定と干渉測定の両方に使用することができる。リソース設定情報1において構成されたZP CSI-RSリソースは干渉測定に使用される。リソース設定情報0はS≧1個のCSI-RSリソースセットを含み、各CSI-RSリソースセットは、1つまたは複数のNZP CSI-RSリソースを含む。1つまたは複数のNZP CSI-RSがチャネル測定に使用され（NZP CMR）、1つまたは複数のNZP CSI-RSが干渉測定に使用され（NZP IMR）、NZP CMRおよびNZP IMRの一部または全部が同じNZP CSI-RSリソースであり得る。
【０１３９】
ネットワークデバイスは、第1のシグナリングを使用して、リソース設定情報0内のCSI-RSリソースセットを構成する。1つの可能な実施態様は以下のとおりである。
【０１４０】
リソース設定情報0において1つまたは複数のリソースセットが構成される。
RS-SET-List  SEQUENCE（SIZE（1…S））  OF  RS-SET-ConfigId
【０１４１】
RS-SET-Configにおいて1つまたは複数のCSI-RSリソースが構成される。
CSI-RS-ResourceConfigList  SEQUENCE｛SIZE（1…K）｝  OF  CSI-RS-ResourceConfig
【０１４２】
この構成方法では、ネットワークデバイスが指示のために端末に指示情報を送信する解決策は以下のとおりである。
【０１４３】
1つの可能な実施態様では結合フィールド指示を使用している。ネットワークデバイスは、第2のシグナリングN1 bitを使用して｛CSI reporting setting ID，CSI-RS resource set ID｝情報を指示する。表9に示されるように、CSI-RSリソースセットIDはリソース設定情報0に含まれるCSI-RSリソースセットIDである。
【０１４４】
【表９】
0006938659.tif 000027
【０１４５】
CSI-RSリソースセットが1つのNZP CSI-RSを含む場合、NZP CSI-RSはチャネル測定に使用される。CSI-RSリソースセットが複数のNZP CSI-RSを含む場合、任意の1つのNZP CSI-RSがチャネル測定に使用され、残りのNZP CSI-RSが干渉測定に使用される。例えば、表10に示されるように、CSI-RSリソースセットが3つのNZP CSI-RSリソース：｛NZP CSI-RS 0，NZP CSI-RS 1，NZP CSI-RS 2｝を含む場合、以下の3つのコロケーション態様がある。
【０１４６】
【表１０】
0006938659.tif 000028
【０１４７】
チャネル測定リソースと干渉測定リソースのこれら3つのコロケーション態様は3つのCSI報告に対応している。
【０１４８】
別の実施態様では、ネットワークデバイスは、N bitの第2のシグナリングを使用して｛CSI reporting setting ID，CSI-RS resource set ID，CMR resource｝情報を指示する。CSI-RSリソースセットIDはリソース設定情報0に含まれるCSI-RSリソースセットIDである。表11に示されるように、CMRリソースは、CSI-RSリソースセットIDによって指示されるCSI-RSリソースセットに含まれるチャネル測定に使用されるNZP CSI-RSリソース情報である。
【０１４９】
【表１１】
0006938659.tif 000029
【０１５０】
CSI-RSリソースセット内のCMR IDによって指示されないNZP CSI-RSリソースの一部または全部が干渉測定に使用される。
【０１５１】
第3の実施態様では、ネットワークデバイスは、N bitの第2のシグナリングを使用して｛CSI reporting setting ID，CSI-RS resource set ID，IMR resource｝を指示する。CSI-RSリソースセットIDはリソース設定情報0に含まれるCSI-RSリソースセットIDである。表12に示されるように、IMRリソースは、CSI-RSリソースセットIDによって指示されるCSI-RSリソースセットに含まれる干渉測定に使用されるNZP CSI-RSリソース情報である。
【０１５２】
【表１２】
0006938659.tif 000030
【０１５３】
CSI-RSリソースセット内のIMR IDによって指示されないNZP CSI-RSリソースの一部または全部がチャネル測定に使用される。
【０１５４】
第4の実施態様では、ネットワークデバイスは、N bitの第2のシグナリングを使用して｛CSI reporting setting ID，CSI-RS resource set ID，CMR resource，IMR resource｝を指示する。CSI-RSリソースセットIDはリソース設定情報0に含まれるCSI-RSリソースセットIDである。CMRリソースは、CSI-RSリソースセットIDによって指示されるCSI-RSリソースセットに含まれるチャネル測定に使用されるNZP CSI-RSリソース情報である。表13に示されるように、IMRリソースは、CSI-RSリソースセットIDによって指示されるCSI-RSリソースセットに含まれる干渉測定に使用されるNZP CSI-RSリソース情報である。
【０１５５】
【表１３】
0006938659.tif 000031
【０１５６】
NZP CMRおよびNZP IMRの一部または全部が同じNZP CSI-RSリソースであり得る。
【０１５７】
｛CSI reporting setting，CSI-RS resource set，CMR ID，IMR ID｝において、パラメータの第1の部分はN1 bitを使用して指示され、パラメータの第2の部分はN2 bitを使用して指示され、パラメータの第M（≦4）の部分はNm bitを使用して指示されることに留意されたい。実施形態1および実施形態2に記載された分離フィールドの解決策を参照されたい。ここでは詳細を繰り返さない。
【０１５８】
本出願の実施形態4の有益な効果は、NZP CMRとNZP IMRとが同じリソース設定において構成されるときにCMRおよびIMRの柔軟な構成および指示をサポートすることである。具体的な適用シナリオは異なる測定および干渉仮説条件を有するので、ネットワーク側は、CQIなどのCSI情報の報告品質を確実にするように、前述の構成および指示方法を使用して様々なCMRおよびIMR測定要件を満たすことができる。
【０１５９】
本出願の本実施形態で提供される方法では、CMRリソースおよびIMRリソースがCSI-RSリソースセットにおいて構成されるときに、事前定義された干渉仮説条件も考察され得る。言い換えると、ネットワークデバイスは、チャネルおよび干渉測定仮説条件に基づいて、CSI-RSリソースセット内のどのリソースがCMRリソースとして使用され、CSI-RSリソースセット内のどのリソースがIMRリソースとして使用されるかをさらに構成し得る。詳細を図6および実施形態5に示す。
【０１６０】
実施形態5
本出願の実施形態5では、事前定義された干渉仮説条件に基づいて、CSI-RSリソースセットがNZP CMRとNZP IMRの両方を含むことを構成するための方法、およびその指示方法を説明する。
【０１６１】
実施形態5の主要な核心は以下のとおりである。
【０１６２】
ネットワークデバイスがCMRリソースとIMRリソースとの間のコロケーション関係を構成し、
ネットワークデバイスは、｛Measurement hypothesis｝の指示を使用して、チャネル測定仮説および干渉測定仮説の測定リソースのための結合指示を完了する。
【０１６３】
ネットワークデバイスは、第1のシグナリングを使用して、リソース設定情報0内の任意のCSI-RSリソースセット内のNZP CMRおよびNZP IMRが、いくつかのチャネルおよび干渉測定仮説条件の構成要素となることを構成する。NZP CMRおよびNZP IMRの一部または全部が同じNZP CSI-RSリソースであり得る。
【０１６４】
1つの可能な実施態様を図14に示す。
【０１６５】
【表１４】
0006938659.tif 000032
【０１６６】
｛CMR resource(s)｝は、CSI-RSリソースセット内のNZP CSI-RSリソースの全部または一部であり得る。CSI-RSリソースセットが1つのNZP CSI-RSを含む場合、NZP CSI-RSはチャネル測定に使用される。CSI-RSリソースセットが複数のNZP CSI-RSを含む場合、任意の1つのNZP CSI-RSがチャネル測定に使用され、残りのNZP CSI-RSが干渉測定に使用される。例えば、表15に示されるように、CSI-RSリソースセットが5つのNZP CSI-RSリソースを含み、測定仮説インデックス1が3つのNZP CSI-RSリソース：｛NZP CSI-RS 0，NZP CSI-RS 1，NZP CSI-RS 2｝を指示する場合、以下の3つのコロケーション態様がある。
【０１６７】
【表１５】
0006938659.tif 000033
【０１６８】
チャネル測定リソースと干渉測定リソースのこれら3つのコロケーション態様は3つのCSI報告に対応している。
【０１６９】
別の可能な実施態様を図16に示す。
【０１７０】
【表１６】
0006938659.tif 000034
【０１７１】
｛CMR resource(s)｝は、CSI-RSリソースセット内のNZP CSI-RSリソースの全部または一部であってもよく、チャネル測定に使用される。｛IMR resource(s)｝は、CSI-RSリソースセット内のNZP CSI-RSリソースの全部または一部であってもよく、干渉測定に使用される。
【０１７２】
この構成方法では、ネットワークデバイスが指示のために端末に指示情報を送信する解決策は以下のとおりである。
【０１７３】
1つの可能な実施態様では結合フィールド指示を使用している。ネットワークデバイスは、第2のシグナリングN bitを使用して｛CSI reporting setting ID，CSI-RS resource set ID，Measurement hypothesis ID｝情報を指示する。図17に示されるように、測定仮説IDは、以下の表において決定される、CSI-RSリソースセットIDによって指示されるCSI-RSリソースセットのための測定仮説インデックスである。リソース設定がただ1つのリソースセットを含む場合、CSI-RSリソースセットの指示フィールドは省略され得る。
【０１７４】
【表１７】
0006938659.tif 000035
【０１７５】
別の可能な実施態様では分離フィールド指示を使用している。すなわち、｛CSI reporting setting，CSI-RS resource set，Measurement hypothesis｝において、パラメータの第1の部分はN1 bitを使用して指示され、パラメータの第2の部分はN2 bitを使用して指示され、パラメータの第M（≦3）の部分はNm bitを使用して指示される。リソース設定がただ1つのリソースセットを含む場合、CSI-RSリソースセットの指示フィールドは省略され得る。詳細については、実施形態1および実施形態4における分離フィールドの解決策を参照されたく、ここでは詳細を繰り返さない。
【０１７６】
ネットワークデバイスの構成および指示オーバーヘッドをさらに低減させるために、ネットワークデバイスがチャネル状態情報参照信号リソースをチャネル測定に使用されるリソースセットおよび干渉測定に使用されるリソースセットとして構成するか、またはチャネル状態情報参照信号リソースセットがチャネル測定に使用されるリソースおよび干渉測定に使用されるリソースを含むことを構成する前に、本出願の本実施形態で提供される方法は以下をさらに含む。
【０１７７】
ネットワークデバイスは、端末に、複数のチャネル状態情報参照信号リソースセットの中から選択された、チャネル状態情報測定に使用されるいくつかのチャネル状態情報参照信号リソースセットと、複数のチャネル状態情報報告設定の中から選択された、チャネル状態情報報告に使用されるいくつかのチャネル状態情報報告設定とを送信する。
【０１７８】
次いで、ネットワークデバイスは、端末に、選択されたチャネル状態情報参照信号リソースセットと選択されたチャネル状態情報報告設定とを指示するために使用される第2の指示情報を送信する。
【０１７９】
詳細を実施形態6に示す。
【０１８０】
実施形態6
実施形態6では主に、CSI測定のための複数のCSI-RSリソースセットの中からいくつかのCSI-RSリソースセットを選択し、CSI報告のための複数のCSI報告設定の中からいくつかのCSI報告設定を選択する実施プロセスを説明する。
【０１８１】
ネットワークデバイスが、第1のシグナリングを使用して端末のためにN個のCSI報告設定およびS個のCSI-RSリソースセットを構成する場合、シグナリング指示オーバーヘッドによって制限されるので、ネットワークデバイスは通常、第2のシグナリングを使用して、N個のCSI報告設定の中からのいくつかの（Np≦N）CSI報告設定とS個のCSI-RSリソースセットの中からのいくつかの（NS≦S）CSI-RSリソースセットとを選択する必要がある。次いで、実施形態1から実施形態5の指示方法で、ネットワークデバイスは、第2の指示情報を使用してチャネルおよび干渉測定および対応するCSI報告に使用される測定リソースを指示する。
【０１８２】
実施形態1では、CMRリソースセットとIMRリソースセットとの間に固定されたコロケーションがあるので、ネットワークデバイスは、CMRリソースセットの指示を使用して、チャネル測定仮説および干渉測定仮説の測定リソースのための結合指示を完了する。この条件の下では、第2の指示情報は以下の情報のうちの少なくとも1つを含み得る。
【０１８３】
1．M個の｛CSI reporting setting，CSI-RS resource set｝コロケーション組み合わせの中からCSI報告設定とCSI-RSリソースセットのNps個の｛CSI reporting setting，CSI-RS resource set｝組み合わせが選択され、Nps≦Mである。
【０１８４】
一実施態様では、Mビットのビットマップが構成される。ビットマップ中の各ビットはM個の｛CSI reporting setting，CSI-RS resource set｝コロケーション組み合わせ内の1つのコロケーション組み合わせに対応している。M bit中のNps未満のbitが1または0に設定され、Nps個未満の｛CSI reporting setting，CSI-RS resource set｝コロケーション組み合わせが選択されることを指示する。
【０１８５】
この場合、対応する結合フィールド指示は
【数１８】
0006938659.tif 000036
bitを必要とする。ネットワークデバイスは、ネットワークデバイスによって選択されたCSI報告設定とCSI-RSリソースセットのNps個の組み合わせを指示するために端末に第2の指示情報を送信する。具体的には、
【数１９】
0006938659.tif 000037
bitが、選択されたCSI報告設定とCSI-RSリソースセットのNps個の組み合わせの中からの1つの組み合わせの選択を指示するために使用され得る。具体的には、CSI-RSリソースセット内のCMRリソースセットとIMRリソースセットとの間の対応関係が実施形態1では第1のシグナリングを使用して指示される。端末は、指示情報によって指示されるCMRリソースセットに従って対応するIMRリソースセットを知ることができる。
【０１８６】
2．N個のCSI報告設定の中からNp≦N個のCSI報告設定が選択される。
【０１８７】
一実施態様では、Nビットのビットマップが構成され、ビットマップ中の各ビットはN個のCSI報告設定のうちの1つに対応している。次いで、N bit中のNp未満のbitが1または0に設定され、Np個未満のCSI報告設定が選択されることを指示する。
【０１８８】
対応する分離フィールド指示は
【数２０】
0006938659.tif 000038
bitを必要とする。すなわち、端末は、
【数２１】
0006938659.tif 000039
bitを使用して、選択されたNp個のCSI報告設定の中から1つの設定を選択するよう命令される。
【０１８９】
3．S個のCSI-RSリソースセットの中からNS≦S個のCSI-RSリソースセットが選択される。
【０１９０】
一実施態様では、Sビットのビットマップが構成され、ビットマップ中の各ビットはS個のCSI-RSリソースセットのうちの1つに対応している。S bit中のNS未満のbitが1または0に設定され、NS個未満のCSI-RSリソースセットが選択されることを指示する。
【０１９１】
対応する分離フィールド指示は
【数２２】
0006938659.tif 000040
bitを必要とする。すなわち、端末は、
【数２３】
0006938659.tif 000041
bitを使用して、選択されたNS個のCSIリソースセットの中から1つのセットを選択するよう命令される。
【０１９２】
ネットワークデバイスはさらに、
【数２４】
0006938659.tif 000042
を調整するか、またはNPおよび／もしくはNSを調整し、CSI報告設定とCSI-RSリソースセットとの間で指示オーバーヘッドを割り振ることができる。特に、CSI報告設定またはCSI-RSリソースセットがただ1つである場合、指示ビットが割り振られない場合もある。
【０１９３】
実施形態2では、CMRリソースセットとIMRリソースセットとの間に柔軟なコロケーションがあるので、ネットワークデバイスは、｛CMR resource set，IMR resource set｝の指示を使用して、チャネル測定仮説および干渉測定仮説の測定リソースのための結合指示を完了する。この条件の下では、第2の指示情報は以下の情報のうちの少なくとも1つを含み得る。
【０１９４】
M個の｛CSI reporting setting，CMR resource set，IMR resource set｝コロケーション組み合わせの中からNps≦M個の｛CSI reporting setting，CMR resource set，IMR resource set｝コロケーション組み合わせが選択された。
【０１９５】
一実施態様では、Mビットのビットマップが構成され、ビットマップ中の各ビットはM個の｛CSI reporting setting，CMR resource set，IMR resource set｝コロケーション組み合わせのうちの1つのコロケーション組み合わせに対応している。M bit中のNps未満のbitが1または0に設定され、Nps個未満の｛CSI reporting setting，CSI-RS resource set｝コロケーション組み合わせが選択されることを指示する。
【０１９６】
対応する結合フィールド指示は
【数２５】
0006938659.tif 000043
bitを必要とする。言い換えると、
【数２６】
0006938659.tif 000044
bitが、選択されたNps個の組み合わせの中からの1つの組み合わせの選択を指示するために使用され得る。
【０１９７】
1．N個のCSI報告設定の中からNp≦N個のCSI報告設定が選択される。
【０１９８】
一実施態様では、Nビットのビットマップが構成され、ビットマップ中の各ビットはN個のCSI報告設定のうちの1つに対応している。N bit中のNp未満のbitが1または0に設定され、Np個未満のCSI報告設定が選択されることを指示する。
【０１９９】
対応する第3のシグナリングの分離フィールド指示は
【数２７】
0006938659.tif 000045
bitを必要とする。言い換えると、端末は、
【数２８】
0006938659.tif 000046
bitを使用して、選択されたNp個のCSI報告設定の中から1つの設定を選択するよう命令される。
【０２００】
2．ネットワークデバイスは、チャネル測定のためのS1個のCSI-RSリソースセットの中から
【数２９】
0006938659.tif 000047
個のCSI-RSリソースセットを選択し、ここで、
【数３０】
0006938659.tif 000048
である。
【０２０１】
一実施態様では、S1ビットのビットマップが構成され、ビットマップ中の各ビットはS1個のCSI-RSリソースセットのうちの1つに対応している。S1 bit中の
【数３１】
0006938659.tif 000049
未満のbitが1または0に設定され、
【数３２】
0006938659.tif 000050
個未満のCSI-RSリソースセットがチャネル測定のために選択されることを指示する。
【０２０２】
対応する分離フィールド指示は
【数３３】
0006938659.tif 000051
bitを必要とする。言い換えると、端末は、
【数３４】
0006938659.tif 000052
bitを使用して、チャネル測定のために選択された
【数３５】
0006938659.tif 000053
個のCSIリソースセットの中から1つのリソースセットを選択するよう命令される。
【０２０３】
3．ネットワークデバイスは、干渉測定のためのS2個のCSI-RSリソースセットの中から
【数３６】
0006938659.tif 000054
個のCSI-RSリソースセットを選択し、ここで、
【数３７】
0006938659.tif 000055
である。
【０２０４】
一実施態様では、S2ビットのビットマップが構成され、ビットマップ中の各ビットはS2個のCSI-RSリソースセットのうちの1つに対応している。S2 bit中の
【数３８】
0006938659.tif 000056
未満のbitが1または0に設定され、
【数３９】
0006938659.tif 000057
個未満のCSI-RSリソースセットが干渉測定のために選択されることを指示する。
【０２０５】
対応する分離フィールド指示は
【数４０】
0006938659.tif 000058
bitを必要とする。言い換えると、端末は、
【数４１】
0006938659.tif 000059
bitを使用して、干渉測定のために選択された
【数４２】
0006938659.tif 000060
個のCSIリソースセットの中から1つのリソースセットを選択するよう命令される。
【０２０６】
【数４３】
0006938659.tif 000061
を調整することによって、言い換えると、
【数４４】
0006938659.tif 000062
を調整することによって、限られた総ビット数の条件において、指示オーバーヘッドがCSI報告設定とCMR／IMRリソースセットとの間で割り振られる。特に、CSI報告設定またはCMR／IMRリソースセットがただ1つである場合、指示ビットが割り振られない場合もある。
【０２０７】
前述の
【数４５】
0006938659.tif 000063
は、1以上の自然数である。
【０２０８】
別の実施態様では、チャネルおよび干渉測定仮説条件の構成に基づいて、ネットワークデバイスは、前述の方法におけるチャネルおよび干渉測定仮説条件とCSI-RS報告設定の複数の組み合わせの中から複数の組み合わせを選択し、端末のために複数の組み合わせを構成し得る。選択されたチャネルおよび干渉測定仮説条件とCSI-RS報告設定の複数の組み合わせ、またはCMRリソースセットおよび／もしくはIMRリソースセットなどのさらなる情報は、同様の結合フィールド指示または分離フィールド指示を使用して端末に指示され得る。
【０２０９】
加えて、CSI-RSリソースセットにおいてCMRリソースとIMRリソースの両方が構成される実施態様では、CSI-RSリソースセットもまず選択され、次いで対応する第2の指示情報を使用して指示され得る。
【０２１０】
言い換えると、実施形態6における選択解決策は実施形態3から実施形態5に適用され得るものであり、ここでは詳細を述べない。
【０２１１】
前述の選択方法では、指示オーバーヘッドを低減させることができ、指示オーバーヘッドを柔軟に割り振ることができる。具体的な適用シナリオは異なる干渉条件を有するので、ネットワーク側は、CQIなどのCSI情報の報告品質を確実にするように、前述の構成および指示方法を使用して様々なCMRおよびIMR測定要件を満たすことができる。
【０２１２】
実施形態1から実施形態6の実施中に、任意選択で、ネットワークデバイスは、CSI報告設定情報のうちの少なくとも1つにおいて、端末デバイスが周期的報告を行うかどうかをさらに構成し得る。例えば、ネットワークデバイスは、端末デバイスが周期的（periodic）報告、非周期的（non-periodic）報告、または準周期的（semi-persistent）報告を行うことを構成する。
【０２１３】
任意選択で、ネットワークデバイスは、リソース設定情報において、CSI-RSリソースが周期的に送信されるか、またはCSI-RSリソースが非周期的に送信されるか、またはCSI-RSリソースが準周期的に送信されることをさらに構成し得る。CSI-RSリソースはNZP CSI-RSリソースまたはZP CSI-RSリソースであり得る。
【０２１４】
前述の各プロセスの順序番号は本出願の様々な実施形態における実行順序を意味するものではないことを理解されたい。各プロセスの実行順序は、各プロセスの機能および内部論理に従って決定されるべきであり、本出願の実施形態の実施プロセスに対するいかなる限定としても解釈されるべきではない。
【０２１５】
以上では本出願の実施形態における方法を詳細に説明しており、以下では、本出願の実施形態で提供される装置を説明する。
【０２１６】
図7を参照すると、図7は、本発明の一実施形態によるネットワークデバイスの論理構造の概略図である。ネットワークデバイス301は、処理部3011と送信部3012とを含み得る。
【０２１７】
一実施態様において、処理部3011は、チャネル状態情報参照信号リソースセットにおいてチャネル測定に使用されるリソースセットおよび干渉測定に使用されるリソースセットを構成するように構成され、チャネル測定に使用されるリソースセットは1つまたは複数の非ゼロ電力チャネル状態情報参照信号リソースを含み、干渉測定に使用されるリソースセットは、非ゼロ電力チャネル状態情報参照信号リソースとゼロ電力チャネル状態情報参照信号リソースの少なくとも一方を含む。
【０２１８】
送信部3012は、端末に参照信号測定指示情報を送信するように構成され、指示情報は、端末に、チャネル測定に使用されるリソースセットを指示するために使用される。
【０２１９】
処理部3011はさらに、チャネル測定に使用されるリソースセットと干渉測定に使用されるリソースセットとの間に対応関係があることを構成するように構成されるか、またはチャネル測定に使用されるリソースセットを干渉測定に使用されるリソースセットと柔軟にコロケートするように構成されるか、または少なくとも1つのチャネルおよび干渉仮説条件を構成し、各チャネルおよび干渉仮説条件が1つのチャネル測定に使用されるリソースセットと1つの干渉測定に使用されるリソースセットとに対応している、ように構成されるか、またはチャネル測定に使用されるリソースセットをまず選択するように構成される。
【０２２０】
送信部3012は、端末に、チャネル測定に使用されるリソースセットとチャネル状態情報報告設定識別子とを指示する指示情報を送信するか、または端末に、干渉測定に使用されるリソースセットとチャネル状態情報報告設定識別子とを指示する指示情報をさらに送信するか、または端末に、チャネルおよび干渉仮説条件とチャネル状態情報報告設定識別子とを指示する指示情報を送信するか、または端末に、チャネル測定に使用されるリソースと干渉測定に使用されるリソースとを区別するリソース設定識別子を含む指示情報を送信するようにさらに構成される。
【０２２１】
処理部3011は図2に示される方法実施形態におけるステップ100を行うように構成され、送信部3012は図2に示される方法実施形態におけるステップ101を行うように構成されることに留意されたい。当然ながら、ネットワークデバイスは、端末によって報告されるCSI-RS報告を受信する受信部をさらに含み得る。
【０２２２】
ネットワークデバイスの別の実施態様では、処理部3011は、チャネル状態情報参照信号リソースセットがチャネル測定に使用されるリソースおよび干渉測定に使用されるリソースを含むことを構成するように構成され、チャネル測定に使用されるリソースは1つまたは複数の非ゼロ電力チャネル状態情報参照信号リソースを含み、干渉測定に使用されるリソースは、非ゼロ電力チャネル状態情報参照信号リソースとゼロ電力チャネル状態情報参照信号リソースの少なくとも一方を含む。
【０２２３】
送信部3012は、端末に参照信号測定指示情報を送信するように構成され、指示情報は、端末に、チャネル状態情報参照信号リソースセットにおいてチャネル測定に使用されるリソースまたは干渉測定に使用されるリソースの少なくとも一方を指示するために使用される。
【０２２４】
処理部3011は、少なくとも1つのチャネルおよび干渉仮説条件を構成し、各チャネルおよび干渉仮説条件が1つのチャネル測定に使用されるリソースと1つの干渉測定に使用されるリソースとに対応している、ようにさらに構成されるか、またはチャネル測定に使用されるリソースをまず選択するようにさらに構成される。
【０２２５】
送信部3012は、端末に、チャネル状態情報参照信号リソースセットとチャネル状態情報報告設定識別子とを指示する指示情報を送信するか、または端末に、チャネル状態情報参照信号リソースセットと、セット内のチャネル測定に使用されるリソースと、チャネル状態情報報告設定識別子とを指示する指示情報を送信するか、または端末に、チャネル状態情報参照信号リソースセットと、セット内の干渉測定に使用されるリソースと、チャネル状態情報報告設定識別子とを指示する指示情報を送信するか、または端末に、チャネル状態情報参照信号リソースセットと、セット内のチャネル測定に使用されるリソースおよび干渉測定に使用されるリソースと、チャネル状態情報報告設定識別子とを指示する指示情報を送信するか、または端末に、チャネルおよび干渉仮説条件と、チャネル状態情報参照信号リソースセットと、チャネル状態情報報告設定識別子とを指示する指示情報を送信するようにさらに構成される。
【０２２６】
処理部3011は図2に示される方法実施形態におけるステップ100または図5に示される方法実施形態におけるステップ200を行うように構成され、送信部3012は図2に示される方法実施形態におけるステップ101または図5に示される方法実施形態におけるステップ201を行うように構成されることに留意されたい。任意選択で、ネットワークデバイスは、端末によって報告されるCSI-RS報告を受信する受信部をさらに含み得る。
【０２２７】
処理部3011がプロセッサであり、送信部3012および受信部が送受信機である場合の、ネットワークデバイスのエンティティの概略的構造図が図8に示されている。図8に示されるネットワークデバイス302は、プロセッサ3021と、送受信機3022と、メモリ3023とを含む。プロセッサ3021、メモリ3023、および送受信機3022は、バスを使用して相互に接続される。
【０２２８】
メモリ3023は、ランダムアクセスメモリ（Random Access Memory、RAM）、読取り専用メモリ（Read-Only Memory、ROM）、消去書込み可能読取り専用メモリ（Erasable Programmable Read Only Memory、EPROM）、またはコンパクトディスク読取り専用メモリ（Compact Disc Read-Only Memory、CD-ROM）を含むがこれに限定されない。メモリ3023は、関連する命令および関連するデータを格納するように構成される。
【０２２９】
送受信機3022は、通信モジュールまたは送受信機回路であってもよく、ネットワークデバイスと端末デバイスとの間でデータやシグナリングなどの情報を伝送するように構成される。本発明の本実施形態では、送受信機3022は、構成情報および指示情報を送信し、CSI測定結果を受信するように構成され、図2に示される方法実施形態におけるステップ101または図5に示される方法実施形態におけるステップ201を行うように特に構成される。
【０２３０】
プロセッサ3021はコントローラ、中央処理装置（central processing unit、CPU）、汎用プロセッサ、デジタル信号プロセッサ（Digital Signal Processor、DSP）、特定用途向け集積回路（Application-Specific Integrated Circuit、ASIC）、フィールドプログラマブルゲートアレイ（Field Programmable Gate Array、FPGA）、別のプログラマブルロジックデバイス、トランジスタロジックデバイス、ハードウェアデバイス、またはそれらの任意の組み合わせであり得る。プロセッサ3021は、本発明の実施形態における開示の内容に関連して例として使用され、説明される様々な論理ブロック、モジュール、および回路を実施または実行し得る。あるいは、プロセッサ3021は、計算処理機能を実施するための組み合わせ、例えば、1つまたは複数のマイクロプロセッサの組み合わせや、DSPとマイクロプロセッサの組み合わせであってもよい。本発明の本実施形態では、プロセッサ3021は、CSI報告設定情報、リソース設定情報、リソースセット設定情報、リンク指示情報などを構成するように構成される。具体的には、プロセッサ3021は図2に示される方法実施形態におけるステップ100または図5に示される方法実施形態におけるステップ200を行うように構成される。
【０２３１】
図9を参照すると、図9は、本発明の一実施形態によるネ端末デバイスの論理構造の概略図である。端末デバイス401は、受信部4011と処理部4012とを含み得る。
【０２３２】
受信部4011は、ネットワークデバイスによって送信された参照信号測定指示情報を受信するように構成され、指示情報はチャネル測定に使用されるリソースセットを指示するために使用され、チャネル測定に使用されるリソースセットは1つまたは複数の非ゼロ電力チャネル状態情報参照信号リソースを含む。
【０２３３】
処理部4012は、指示情報によって指示されるチャネル測定に使用されるリソースセット内の非ゼロ電力チャネル状態情報参照信号リソースを使用してチャネル測定を行うように構成される。
【０２３４】
任意選択で、端末は、ネットワークデバイスにCSI測定結果を送信するように構成された、送信部4013をさらに含む。CSI測定結果はCSI報告を含み、1つのCSI-RSリソースセットが少なくとも1つのCSI報告に対応している。
【０２３５】
別の実施態様において、端末は、
ネットワークデバイスによって送信された参照信号測定指示情報を受信するように構成された受信部4011であって、指示情報がチャネル測定に使用されるリソースを指示するために使用され、チャネル測定に使用されるリソースが1つまたは複数の非ゼロ電力チャネル状態情報参照信号リソースを含む、受信部4011と、
指示情報によって指示されるチャネル測定に使用されるリソースを使用してチャネル測定を行うように構成された、処理部4012と
を含む。
【０２３６】
処理部4012は図2に示される方法実施形態におけるステップ102または図5に示される方法実施形態におけるステップ202を行うように構成され、送信部4013は図2に示される方法実施形態におけるステップ103または図5に示される方法実施形態におけるステップ203を行うように構成されることに留意されたい。
【０２３７】
具体的な実施中に、端末の受信部4011はネットワークデバイスの上位層（RRC層）設定を受信する。指示情報を受信した後、端末の処理部4012は、対応するCSI報告設定および対応する参照信号リソース設定を解析する。CSI報告設定情報は、報告パラメータ（CRI、RI、PMI、CQIなど）、報告パラメータの周波数領域粒度（広帯域または狭帯域）および時間領域特性（周期的、非周期的、または準周期的）、コードブック、対応する上りチャネル伝送リソースなどを含む。参照信号リソース設定情報は、チャネル測定に使用される参照信号リソース情報および干渉測定に使用される参照信号リソース情報を含む。CQIを報告する一例では、端末の処理部4012は、CQIを計算するために、指示情報によって指示されるチャネル測定に使用されるNZP CSI-RSリソースに基づいてチャネル測定結果を取得し、CQIを計算するために、指示情報によって指示されるZP CSI-RSおよび／または干渉測定に使用されるNZP CSI-RSリソースに基づいて干渉測定結果を取得する。
【０２３８】
処理部4012がプロセッサであり、送信部4013および受信部4011が送受信機である場合の端末のエンティティの概略的構造図が図10に示されている。図10に示される端末デバイス402は、プロセッサ4021と、送受信機4022と、メモリ4023とを含む。プロセッサ4021、メモリ4023、および送受信機4022は、バスを使用して相互に接続される。
【０２３９】
メモリ4023は、RAM、ROM、EPROM、またはCD-ROMを含むがこれに限定されず、メモリ4023は関連する命令および関連するデータを格納するように構成される。
【０２４０】
送受信機4022は、通信モジュールまたは送受信機回路であってもよく、端末デバイスとネットワークデバイスとの間でデータやシグナリングなどの情報を伝送するように構成される。本発明の本実施形態では、送受信機4022は設定情報を受信し、CSI測定結果を送信するように構成され、図2に示される方法実施形態におけるステップ103または図5に示される方法実施形態におけるステップ203を行うように特に構成される。
【０２４１】
プロセッサ4021は、コントローラ、CPU、汎用プロセッサ、ASIC、FPGA、または別のプログラマブルロジックデバイス、トランジスタロジックデバイス、ハードウェアコンポーネント、またはそれらの任意の組み合わせであり得る。プロセッサ4021は、本発明の実施形態における開示の内容に関連して例として使用され、説明される様々な論理ブロック、モジュール、および回路を実施または実行し得る。あるいは、プロセッサ4021は、計算処理機能を実施するための組み合わせ、例えば、1つまたは複数のマイクロプロセッサの組み合わせや、DSPとマイクロプロセッサの組み合わせであってもよい。本発明の本実施形態では、プロセッサ4021は、測定を行うように構成され、図2に示される方法実施形態におけるステップ102または図5に示される方法実施形態におけるステップ202を行うように特に構成される。
【０２４２】
前述の実施形態の全部または一部が、ソフトウェア、ハードウェア、ファームウェア、またはそれらの任意の組み合わせを使用して実現され得る。各実施形態を実現するためにソフトウェアが使用される場合、各実施形態は、完全に、または部分的にコンピュータプログラム製品の形態で実現され得る。コンピュータプログラム製品は、1つまたは複数のコンピュータ命令を含む。コンピュータプログラム命令がロードされ、コンピュータ上で実行されると、本出願の実施形態による手順または機能の全部または一部が生成される。コンピュータは、汎用コンピュータ、専用コンピュータ、コンピュータネットワーク、または他のプログラマブル装置であり得る。コンピュータ命令は、コンピュータ可読記憶媒体に格納されてもよく、またはコンピュータ可読記憶媒体から別のコンピュータ可読記憶媒体に伝送されてもよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、デジタル加入者線（Digital Subscriber Line、DSL））または無線（例えば、赤外線、電波、マイクロ波など）方式で伝送され得る。コンピュータ可読記憶媒体は、コンピュータがアクセスできる任意の使用可能な媒体、または、1つもしくは複数の使用可能な媒体を統合した、サーバやデータセンタなどのデータ記憶装置であり得る。使用可能な媒体は、磁気媒体（例えば、ソフトディスク、ハードディスク、磁気テープ）、光媒体（例えば、デジタルビデオディスク（Digital Video Disc、DVD））、半導体媒体（例えば、ソリッドステートドライブ（Solid State Disk、SSD）などであり得る。
【０２４３】
以上の説明は、本出願の具体的な実施態様にすぎず、本出願の保護範囲を限定するためのものではない。本出願で開示された技術範囲内で当業者が容易に思いつく一切の変形または置換は、本出願の保護範囲内に含まれるものとする。したがって、本出願の保護範囲は、特許請求の範囲の保護範囲に従うべきものとする。
【符号の説明】
【０２４４】
301  ネットワークデバイス
302  ネットワークデバイス
401  端末
402  端末
3011  処理部
3012  送信部
3021  プロセッサ
3022  送受信機
3023  メモリ
4011  受信部
4012  処理部 
4013  送信部
4021  プロセッサ
4022  送受信機
4023  メモリ
【図１】
0006938659.tif 000080
【図２】
0006938659.tif 000081
【図３】
0006938659.tif 000082
【図４】
0006938659.tif 000083
【図５】
0006938659.tif 000084
【図６】
0006938659.tif 000085
【図７】
0006938659.tif 000086
【図８】
0006938659.tif 000087
【図９】
0006938659.tif 000088
【図１０】
0006938659.tif 000089